(57)【要約】【課題】  本発明は、銀行券、旅券、有価証券、商品タグ及び各種証明書等に偽造、複製の防止用として施す潜像画像を有する印刷物に関するものである。【解決手段】  基材上に、第一の領域、第二の領域及び第三の領域を用いて、連続階調の可視画像、観察角度を定位置の照明光源に対して拡散光領域から正反射光領域へ変化させることによって視認可能な第一の潜像画像及び赤外線光源下において観察可能な埋め込まれた潜像画像を有する印刷物である。【選択図】  図１
2010247515.tif 000002
【特許請求の範囲】
【請求項１】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記第一の領域に囲まれるように中心領域が配置され、
前記中心領域は、前記第一の領域よりも小さい面積で前記第一の領域の外周に沿って等間隔に配置され、
前記第二の領域は、少なくとも一部が前記第一の領域内に配置され又は前記中心領域に配置され、
前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部は、定位置の照明光源に対して観察角度を拡散光領域から正反射光領域へ変化させることで前記第二のカムフラージュ部との色が所定の値変化する材料で形成され、
前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像が形成され、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることで視認可能な画像であり、前記第二の潜像画像は、赤外線光源下において観察可能な画像であることを特徴とする潜像画像を有する印刷物。
【請求項２】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記基材は、定位置の照明光源に対して観察角度を拡散光領域から正反射光領域へ変化させることで色が変化する材料を用いて形成され、
前記基材上に、赤外線吸収色素を含まず、かつ、前記基材を、定位置の照明光源に対して観察角度を拡散光領域から正反射光領域へ変化させることで色が所定の値変化させない隠蔽材料を用いて隠蔽領域が形成され、
前記隠蔽領域は、前記基材を隠蔽する隠蔽材料を施す領域及び前記基材を一部露出させる隠蔽材料を施さない領域から成り、
前記隠蔽材料を施す領域上に、前記第一の領域、前記第二の領域及び前記第三の領域が配置され、
前記第一の領域に囲まれるように中心領域が配置され、
前記中心領域は、前記第一の領域よりも小さい面積で前記第一の領域の外周に沿って等間隔に配置され、
前記第二の領域は、少なくとも一部が前記第一の領域内に配置され又は前記中心領域に配置され、
前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部及び前記隠蔽材料を施さない領域は、同じ位置に配置され、
前記第二の網点部は、赤外線吸収色素を含む材料及び前記赤外線吸収色素を含まない材料いずれも配置されず、かつ、前記隠蔽材料を施さない領域と同じ大きさ及び同じ形状に配置され、
前記隠蔽材料を施さない領域を介して、前記基材を一部露出させることで形成された前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像が形成され、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることで前記第二の網点部及び前記第二のカムフラージュ部との色差ΔＥが所定の値変化し視認可能となる画像であり、前記第二の潜像画像は、赤外線光源下において観察可能な画像であることを特徴とする潜像画像を有する印刷物。
【請求項３】
前記第二の領域が前記第一の領域内に配置された場合に、前記第三の領域は、前記中心領域内に配置され、前記第二の領域が中心領域に配置された場合に、前記第三の領域は前記第一の領域内に配置されることを特徴とする請求項１又は２記載の潜像画像を有する印刷物。
【請求項４】
前記第二の領域及び前記第三の領域は、前記第一の領域内に配置され、
前記中心領域内には、前記第一の領域、前記第二の領域及び前記第三の領域いずれの領域も配置されないことを特徴とする請求項１又は２記載の潜像画像を有する印刷物。
【請求項５】
前記第二の領域が前記第一の領域と前記第一の領域と隣接する一つの第一の領域及び／又は前記第一の領域と隣接する一つの前記第三の領域にまたがって配置された場合に、前記第三の領域は、前記中心領域内に配置され、前記第二の領域が前記中心領域に配置された場合に、前記第三の領域は前記第一の領域と前記第一の領域と隣接する一つの第一の領域及び／又は前記第一の領域と隣接する一つの前記第二の領域にまたがって配置されることを特徴とする請求項１又は２記載の潜像画像を有する印刷物。
【請求項６】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記第一の領域に囲まれるように中心領域が配置され、
前記中心領域は、前記第一の領域よりも小さい面積で前記第一の領域の外周に沿って等間隔に配置され、
前記第二の領域及び第三の領域は、中心領域に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部は、定位置の照明光源に対して観察角度を拡散光領域から正反射光領域へ変化させることで前記第二のカムフラージュ部との色差ΔＥが所定の値変化する材料で形成され、
前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像が形成され、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることで視認可能な画像であり、前記第二の潜像画像は、赤外線光源下において観察可能な画像であることを特徴とする潜像画像を有する印刷物。
【請求項７】
前記第二の領域は、第三の領域と隣接して前記中心領域内に配置されることを特徴とする請求項６記載の潜像画像を有する印刷物。
【請求項８】
前記第二の領域は、前記第三の網点部と重畳又は毛抜き合わせで配置され、
前記第二のカムフラージュ部は、前記第三の網点部と共有して配置されることを特徴とする請求項６記載の潜像画像を有する印刷物
【請求項９】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記第一の領域は、第一の方向に他の第一の領域と隣接して配置されることで第一の領域群を形成し、
前記第一の領域群は、第一の方向に並列して複数配置され、
前記第二の領域及び前記第三の領域は、前記第一の領域群及び前記第一の領域群と隣接して配置される他の第一の領域群に挟まれた領域に、前記第一の領域に対応して交互に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部は、観察角度を定位置の照明光源に対して拡散光領域から正反射光領域へ変化させることで前記第二のカムフラージュ部との色差ΔＥが所定の値変化する材料で形成され、
前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像を形成し、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることによって視認可能な画像であり、前記第二の潜像画像は、赤外線光源下において観察可能な画像であることを特徴とする潜像画像を有する印刷物。
【請求項１０】
前記第一の方向は、前記第一の領域における中心及び前記第一の領域と隣接する他の第一の領域における中心とを通る直線と平行する方向であることを特徴とする請求項９記載の潜像画像を有する印刷物。
【請求項１１】
前記色差ΔＥが所定の値変化する材料とは、定位置の照明光源に対して観察角度を拡散光領域から正反射光領域へ変化させることにより、拡散光領域における前記第二のカムフラージュ部との色差ΔＥに対して、正反射光領域における前記第二のカムフラージュ部との色差ΔＥが、５以上変化する材料であることを特徴とする請求項１乃至１０のいずれか一項記載の潜像画像を有する印刷物。
【請求項１２】
前記第二のカムフラージュ部との色差ΔＥが所定の値変化する材料が、光輝性材料であることを特徴とする請求項１乃至１１のいずれか一項記載の潜像画像を有する印刷物。
【請求項１３】
前記光輝性材料が、金属粉インキ、フォイル、金属又は金属光沢調フィルムのいずれかの材料であることを特徴とする請求項１乃至１２のいずれか一項記載の潜像画像を有する印刷物。
【発明の詳細な説明】
【技術分野】
【０００１】
本発明は、銀行券、旅券、有価証券、商品タグ及び各種証明書等に偽造、複製の防止用として施す潜像画像を有する印刷物に関するものである。
【背景技術】
【０００２】
近年、複写機の高機能化及び高画質化により、銀行券、旅券、有価証券等の貴重印刷物の偽造製品が出回り、深刻な問題となっている。そのため、従来から貴重印刷物には、複写機で色、光沢又は発光等の再現が困難な機能性インキが多く用いられている。機能性インキには、複写機で色又は光沢の再現が困難な金インキ、銀インキ又はパールインキ等の金属光沢インキ、赤外線領域において吸収特性を示す赤外線吸収インキ等がある。
【０００３】
赤外線吸収インキを用いた印刷物を真偽判別する際には、赤外線カメラ等の鑑定装置を必要とすることから、鑑定装置がなければ目視で赤外線吸収インキ印刷部を判別することは困難である。反対に、金属光沢インキを用いた印刷物を真偽判別する際には、光沢や色の変化に留意するだけで良く、誰でも簡単に目視で判別することができる。このことから、多くの貴重印刷物には、異なるインキ特性を有する機能性インキを複数併用して利用されている。
【０００４】
例えば、本出願人が先に出願した特許文献１には、二つの異なる画像を同一平面上に網点画像として均等に配置する場合において、一般の商業印刷で使用されているシアン（Ｃ）、マゼンタ（Ｍ）、イエロー（Ｙ）及びブラック（Ｂｋ）の基本インキを用いて、可視画像及び潜像画像を生成した網点印刷物が開示されている。一般の商業印刷で使用されているシアン（Ｃ）、マゼンタ（Ｍ）及びイエロー（Ｙ）は、赤外線を吸収しない。よって、シアン（Ｃ）、マゼンタ（Ｍ）及びイエロー（Ｙ）を重ね合わせた混色ブラックは、赤外線を吸収することがない。これに対して、ブラック（Ｂｋ）は、カーボンブラックを主体としており、紫外線領域から赤外線領域まで全域にわたり吸収を示す。前記作用を用いて、シアン（Ｃ）、マゼンタ（Ｍ）、イエロー（Ｙ）、ブラック（Ｂｋ）及び混色ブラックを用いて所定の配置規則に基づき印刷された網点印刷物は、可視光源下で視認できる可視画像内に、赤外線カメラ等の鑑定装置を用いて観察可能な潜像画像を埋め込むことができる。前記網点印刷物は、特殊なインキを用いる必要がないため、安価に作製が可能であり、現在の写真製版装置での複製が不可能であることから、偽造防止効果に優れる。
【０００５】
また、特許文献２には、一般の商業印刷で使用されているシアン（Ｃ）、マゼンタ（Ｍ）、イエロー（Ｙ）及びブラック（Ｂｋ）の基本インキと、更に金属光沢インキを併用した、偽造防止用の印刷物が開示されている。例えば、偽造防止用の印刷物は、第一の領域と、第二の領域及び第三の領域によって拡散光視認画像が形成される。第一の領域は、金属光沢インキによって印刷され、第二の領域は、赤外線透過インキであるシアン（Ｃ）、マゼンタ（Ｍ）及び／又はイエロー（Ｙ）によって印刷され、第三の領域は、赤外線吸収インキであるブラック（Ｂｋ）によって印刷される。偽造防止用の印刷物は、可視光源下の拡散光領域で観察した場合に、第一の領域と、第二の領域及び第三の領域からなる拡散光視認画像が視認され、正反射光領域で観察した場合に、金属光沢インキによって印刷された第一の領域が光沢画像として確認することができる。さらに、赤外線カメラ等の鑑定装置を用いて観察した場合においては、第三の領域が潜像画像として視認することができる。
【０００６】
さらに、特許文献３には、特許文献１において開示された網点構成と、シアン（Ｃ）、マゼンタ（Ｍ）、イエロー（Ｙ）、ブラック（Ｂｋ）及び金属光沢インキを用いて、可視及び潜像画像を生成した偽造防止用印刷物が開示されている。特許文献１に開示された網点構成においては、ブラック（Ｂｋ）の紫外線領域から赤外線領域まで全域にわたり吸収する性質を生かして、赤外線カメラ等の鑑定装置を用いてのみ視認可能な潜像画像を形成していた。しかし、ブラック（Ｂｋ）は、低明度（高濃度）の色彩であるため、印刷図柄のデザインに大きく影響していた。すなわち、赤外線カメラ等で印刷物を観察する際に、ブラック（Ｂｋ）によって施されている潜像画像の鮮明化を図ると、必然的にブラック（Ｂｋ）に用いる網点の最大面積率が大きくなり、肉眼で観察するシアン（Ｃ）、マゼンタ（Ｍ）及びイエロー（Ｙ）で構成された可視画像が、全体的に黒ずんだ状態になるという問題があった。
【０００７】
そこで、特許文献３においては、ブラック（Ｂｋ）によって施されている潜像画像を、金属光沢インキを用いて形成している。金属光沢インキ印刷部とブラック（Ｂｋ）印刷部は、可視光源下において、同じ網点面積率及び印刷面積で印刷された場合の濃度をそれぞれ測定すると、ブラック（Ｂｋ）印刷部に比べ、金属光沢インキ印刷部の方が濃度は低い。すなわち、金属光沢インキは可視光源下において、ブラック（Ｂｋ）に比べて高明度（低濃度）であるといえる。また、金属光沢インキは、可視光源下でも赤外線光源下でも、その印刷画像を観察可能な特性を有する。以上のことから、特許文献３では、特許文献１の潜像画像を形成していた網点を、ブラック（Ｂｋ）から金属光沢インキに置き換えることで、可視光源下において高明度（低濃度）で、かつ、赤外線光源下においてのみ視認可能な潜像画像を形成することが可能となる。
【先行技術文献】
【特許文献】
【０００８】
【特許文献１】特許第３５４４５３６号公報
【特許文献２】特開２００７−１５２８０５号公報
【特許文献３】特開２００８−１３２６００号公報
【発明の概要】
【発明が解決しようとする課題】
【０００９】
特許文献１及び特許文献３に開示されている網点印刷物では、特殊な網点構成により、可視光で認識可能な可視画像と、赤外線カメラ等の鑑定装置を用いて視認可能な潜像画像という二つの画像を安価に作製することが達成できた。しかし、潜像画像は、赤外線カメラ等の鑑定装置を用いなければ視認できないため、例えば、銀行、入国管理審査等の各種窓口業務における検査担当者は、目視検査による真偽判別を行うことができない問題点があった。そこで、銀行、入国管理審査等の各種窓口業務では、検査担当者が鑑定装置を用いずに、目視によって真偽判別することが可能な技術が付与された偽造防止印刷物が求められている。
【００１０】
また、特許文献２に開示されている偽造防止用の印刷物では、第一の領域と、第二の領域及び第三の領域から成る拡散光視認画像が可視光源下で視認され、第一の領域は、金属光沢インキを用いて形成することにより、傾けることで光沢画像が視認され、更には第三の領域は、ブラック（Ｂｋ）を用いて形成することにより、赤外線カメラ等の鑑定装置で潜像画像が視認される。このように、偽造防止用の印刷物は、異なる観察条件で三つの画像が変化するものである。しかしながら、特許文献２の偽造防止用の印刷物は、特殊な網点構成の特許文献１とは異なり、それぞれのインキを入手することで、インクジェット印刷等で模倣品を作製される可能性がある。また、偽造防止用の印刷物は、三つの画像を同一領域に重なるようなデザインで作製することが困難であり、デザイン上の制約をうけるという問題があった。
【００１１】
本発明は、上記課題の解決を目的とするものであり、具体的には、シアン（Ｃ）、マゼンタ（Ｍ）、イエロー（Ｙ）及びブラック（Ｂｋ）のインキと、観察角度によって周囲の印刷領域と色差ΔＥが変化する材料を用いて、目視及び鑑定装置による真偽判別することが可能である。つまり、通常の状態（拡散光領域）、観察角度を異ならせた状態（正反射光領域）及び赤外線領域と、複数の条件下で異なる画像を出現させ、かつ、それぞれがデザイン上の制約を受けることの無い潜像画像を有する印刷物を提供することにある。
【課題を解決するための手段】
【００１２】
前述の目的を達成するために、請求項１記載の発明は、基材上における少なくとも一部に印刷領域が形成され、印刷領域は第一の領域、第二の領域及び第三の領域から成り、第一の領域、第二の領域及び第三の領域を用いて、連続階調の可視画像、第一の潜像画像及び第二の潜像画像が埋め込まれた潜像画像を有する印刷物であって、第一の領域に囲まれるように中心領域が配置され、中心領域は、第一の領域よりも小さい面積で第一の領域の外周に沿って等間隔に配置され、第二の領域は、少なくとも一部が第一の領域内に配置され又は中心領域に配置され、第三の領域は、第二の領域の少なくとも一部が第一の領域内に配置された場合に、中心領域又は第一の領域内に配置され、第二の領域が中心領域に配置された場合に、少なくとも一部が第一の領域内に配置され、第一の領域は、赤外吸収色素を含まない材料で形成した網点が配置され、第一の領域により可視画像が形成され、第二の領域は、第二の網点部及び第二のカムフラージュ部から成り、第二の網点部は、定位置の照明光源に対して観察角度を拡散光領域から正反射光領域へ変化させることで第二のカムフラージュ部との色差ΔＥが所定の値変化する材料で形成され、第二の網点部により第一の潜像画像が形成され、第二のカムフラージュ部は、拡散光領域において第二の網点部と等色であり、第二の網点部の周囲に赤外吸収色素を含む材料を用いて形成され、第三の領域は、第三の網点部及び第三のカムフラージュ部から成り、第三の網点部は、赤外吸収色素を含む材料を用いて形成され、第三の網点部により第二の潜像画像が形成され、第三のカムフラージュ部は、可視光源下において第三の網点部と等色であり、第三の網点部の周囲に赤外吸収色素を含まない材料を用いて形成され、可視画像は、可視光源下において視認可能な画像であり、第一の潜像画像は、定位置の照明光源に対して観察角度を拡散光領域から正反射光領域へ変化させることで視認可能な画像であり、第二の潜像画像は、赤外線光源下において観察可能な画像であることを特徴とする。
【００１３】
また、請求項２記載の発明は、基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、前記基材は、定位置の照明光源に対して観察角度を拡散光領域から正反射光領域へ変化させることで色が所定の値変化する材料を用いて形成され、前記基材上に、赤外線吸収色素を含まず、かつ、前記基材を、定位置の照明光源に対して観察角度を拡散光領域から正反射光領域へ変化させることで色が変化させない隠蔽材料を用いて隠蔽領域が形成され、前記隠蔽領域は、前記基材を隠蔽する隠蔽材料を施す領域及び前記基材を一部露出させる隠蔽材料を施さない領域から成り、前記隠蔽材料を施す領域上に、前記第一の領域、前記第二の領域及び前記第三の領域が配置され、前記第一の領域に囲まれるように中心領域が配置され、前記中心領域は、前記第一の領域よりも小さい面積で前記第一の領域の外周に沿って等間隔に配置され、前記第二の領域は、少なくとも一部が前記第一の領域内に配置され又は前記中心領域に配置され、前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、前記第一の領域は、赤外吸収色素を含まない材料で形成した網点が配置され、前記第一の領域により前記可視画像が形成され、前記第二の領域は、第二の網点部及び第二のカムフラージュ部から成り、前記第二の網点部及び前記隠蔽材料を施さない領域は、同じ位置に配置され、前記第二の網点部は、赤外線吸収色素を含む材料及び前記赤外線吸収色素を含まない材料いずれも配置されず、かつ、前記隠蔽材料を施さない領域と同じ大きさ及び同じ形状に配置され、前記隠蔽材料を施さない領域を介して、前記基材を一部露出させることで形成された前記第二の網点部により前記第一の潜像画像が形成され、前記第二のカムフラージュ部は、前記拡散光領域において前記第二の網点部と等色であり、前記第二の網点部の周囲に赤外吸収色素を含む材料を用いて形成され、前記第三の領域は、第三の網点部及び第三のカムフラージュ部から成り、前記第三の網点部は、赤外吸収色素を含む材料を用いて形成され、前記第三の網点部により前記第二の潜像画像が形成され、前記第三のカムフラージュ部は、可視光源下において前記第三の網点部と等色であり、前記第三の網点部の周囲に赤外吸収色素を含まない材料を用いて形成され、前記可視画像は、可視光源下において視認可能な画像であり、前記第一の潜像画像は、定位置の照明光源に対して観察角度を拡散光領域から正反射光領域へ変化させることで前記第二の網点部及び前記第二のカムフラージュ部との色差ΔＥが所定の値変化し視認可能となる画像であり、前記第二の潜像画像は、赤外線光源下において観察可能な画像であることを特徴とする。
【００１４】
また、請求項３記載の発明は、請求項１又は２記載の潜像画像を有する印刷物において、第一の領域内に配置された場合に、第三の領域は、中心領域内に配置され、第二の領域が中心領域に配置された場合に、第三の領域は第一の領域内に配置されることを特徴とする。
【００１５】
また、請求項４記載の発明は、請求項１又は２記載の潜像画像を有する印刷物において、第二の領域及び第三の領域は、第一の領域内に配置され、中心領域内には、第一の領域、第二の領域及び第三の領域いずれの領域も配置されないことを特徴とする。
【００１６】
また、請求項５記載の発明は、請求項１又は２記載の潜像画像を有する印刷物において、第二の領域が第一の領域と第一の領域と隣接する一つの第一の領域及び／又は第一の領域と隣接する一つの第三の領域にまたがって配置された場合に、第三の領域は、中心領域内に配置され、第二の領域が中心領域に配置された場合に、第三の領域は第一の領域と第一の領域と隣接する一つの第一の領域及び／又は第一の領域と隣接する一つの第二の領域にまたがって配置されることを特徴とする。
【００１７】
また、請求項６記載の発明は、基材上における少なくとも一部に印刷領域が形成され、印刷領域は第一の領域、第二の領域及び第三の領域から成り、第一の領域、第二の領域及び第三の領域を用いて、連続階調の可視画像、第一の潜像画像及び第二の潜像画像が埋め込まれた潜像画像を有する印刷物であって、第一の領域に囲まれるように中心領域が配置され、中心領域は、第一の領域よりも小さい面積で第一の領域の外周に沿って等間隔に配置され、第二の領域及び第三の領域は、中心領域に配置され、第一の領域は、赤外吸収色素を含まない材料で形成した網点が配置され、第一の領域により可視画像が形成され、第二の領域は、第二の網点部及び第二のカムフラージュ部から成り、第二の網点部は、定位置の照明光源に対して観察角度を拡散光領域から正反射光領域へ変化させることで第二のカムフラージュ部との色差ΔＥが所定の値変化する材料で形成され、第二の網点部により第一の潜像画像が形成され、第二のカムフラージュ部は、拡散光領域において第二の網点部と等色であり、第二の網点部の周囲に赤外吸収色素を含む材料を用いて形成され、第三の領域は、第三の網点部及び第三のカムフラージュ部から成り、第三の網点部は、赤外吸収色素を含む材料を用いて形成され、第三の網点部により第二の潜像画像が形成され、第三のカムフラージュ部は、可視光源下において第三の網点部と等色であり、第三の網点部の周囲に赤外吸収色素を含まない材料を用いて形成され、可視画像は、可視光源下において視認可能な画像であり、第一の潜像画像は、定位置の照明光源に対して観察角度を拡散光領域から正反射光領域へ変化させることで視認可能な画像であり、第二の潜像画像は、赤外線光源下において観察可能な画像であることを特徴とする。
【００１８】
また、請求項７記載の発明は、請求項６記載の潜像画像を有する印刷物において、第二の領域は、第三の領域と隣接して中心領域内に配置されることを特徴とする。
【００１９】
また、請求項８記載の発明は、請求項６記載の潜像画像を有する印刷物において、第二の領域は、第三の網点部と重畳又は毛抜き合わせで配置され、第二のカムフラージュ部は、第三の網点部と共有して配置されることを特徴とする。
【００２０】
また、請求項９記載の発明は、基材上における少なくとも一部に印刷領域が形成され、印刷領域は第一の領域、第二の領域及び第三の領域から成り、第一の領域、第二の領域及び第三の領域を用いて、連続階調の可視画像、第一の潜像画像及び第二の潜像画像が埋め込まれた潜像画像を有する印刷物であって、第一の領域は、第一の方向に他の第一の領域と隣接して配置されることで第一の領域群を形成し、第一の領域群は、第一の方向に並列して複数配置され、第二の領域及び第三の領域は、第一の領域群及び第一の領域群と隣接して配置される他の第一の領域群に挟まれた領域に、第一の領域に対応して交互に配置され、第一の領域は、赤外吸収色素を含まない材料で形成した網点が配置され、第一の領域により可視画像が形成され、第二の領域は、第二の網点部及び第二のカムフラージュ部から成り、第二の網点部は、観察角度を定位置の照明光源に対して拡散光領域から正反射光領域へ変化させることで第二のカムフラージュ部との色差ΔＥが所定の値変化する材料で形成され、第二の網点部により第一の潜像画像が形成され、第二のカムフラージュ部は、拡散光領域において第二の網点部と等色であり、第二の網点部の周囲に赤外吸収色素を含む材料を用いて形成され、第三の領域は、第三の網点部及び第三のカムフラージュ部から成り、第三の網点部は、赤外吸収色素を含む材料を用いて形成され、第三の網点部により第二の潜像画像を形成し、第三のカムフラージュ部は、可視光源下において第三の網点部と等色であり、第三の網点部の周囲に赤外吸収色素を含まない材料を用いて形成され、可視画像は、可視光源下において視認可能な画像であり、第一の潜像画像は、定位置の照明光源に対して観察角度を拡散光領域から正反射光領域へ変化させることによって視認可能な画像であり、第二の潜像画像は、赤外線光源下において観察可能な画像であることを特徴とする。
【００２１】
また、請求項１０記載の発明は、請求項９記載の潜像画像を有する印刷物において、第一の方向は、第一の領域における中心及び第一の領域と隣接する他の第一の領域における中心とを通る直線と平行する方向であることを特徴とする。
【００２２】
また、請求項１１記載の発明は、請求項１乃至１０のいずれか一項記載の潜像画像を有する印刷物において、色差ΔＥが所定の値変化する材料とは、定位置の照明光源に対して観察角度を拡散光領域から正反射光領域へ変化させることにより、拡散光領域における第二のカムフラージュ部との色差ΔＥに対して、正反射光領域における第二のカムフラージュ部との色差ΔＥが、５以上変化する材料であることを特徴とする。
【００２３】
また、請求項１２記載の発明は、請求項１乃至１１のいずれか一項記載の潜像画像を有する印刷物において、第二のカムフラージュ部との色差ΔＥが所定の値変化する材料が、光輝性材料であることを特徴とする。
【００２４】
さらに、請求項１３記載の発明は、請求項１乃至１２のいずれか一項記載の潜像画像を有する印刷物において光輝性材料が、金属粉インキ、フォイル、金属又は金属光沢調フィルムのいずれかの材料であることを特徴とする。
【発明の効果】
【００２５】
本発明の潜像画像を有する印刷物は、可視光源下の拡散光領域で観察した際には可視画像が視認でき、印刷物を傾けて観察することで第一の潜像画像が視認でき、更に赤外線カメラ等の鑑定装置を用いて観察した際には第二の潜像画像が視認可能となる。つまり、一つの印刷物において、観察条件の異なる三つの画像を形成することが可能となり、簡易な手法による真偽判別と、鑑定装置を用いた真偽判別の二重確認を行うことが可能となる。よって、銀行、入国管理審査等の各種窓口業務における検査担当者は、目視検査による真偽判別と、鑑定装置による真偽判別が可能となる。
【００２６】
さらに、本発明の潜像画像を有する印刷物は、特殊な網点構成により、三つの画像を同一領域内に重なるようなデザインで作製することが容易であり、デザイン上の制約を受けることが無い。
【図面の簡単な説明】
【００２７】
【図１】本発明にかかわる潜像画像を有する印刷物を示す平面図及び模式図の一例。
【図２】本発明にかかわる基材（１）に、第二のカムフラージュ部（４ｂ）との色差ΔＥが所定の値変化する材料を用いた模式図及び断面図。
【図３】本発明にかかわる白インク及びマゼンタインクの分光透過率の一例を示すグラフ。
【図４】本発明にかかわる基材（１）、金属粉インキ及び赤外線吸収色素を含むインキの分光反射率の一例を示すグラフ。
【図５】本発明にかかわる第一の網点構成により形成した印刷物（Ｓ）、観察角度を定位置の可視光源（Ｒ）に対して拡散光領域及び正反射光領域で観察した際の可視光源（Ｒ）、視点（Ｅ１、Ｅ２）及び印刷物（Ｓ）の三つの位置関係を示した図。
【図６】本発明にかかわる拡散光領域又は正反射光領域における、それぞれの第二の網点部（４ａ）及び第二のカムフラージュ部（４ｂ）の色差ΔＥを示すグラフ。
【図７】本発明にかかわる第一の網点構成により形成した印刷物（Ｓ）を、定位置の可視光源（Ｒ）下の拡散光領域において、肉眼で視認した場合の平面図及び模式図。
【図８】本発明にかかわる第一の網点構成により形成した印刷物（Ｓ）を、定位置の可視光源（Ｒ）下の正反射光領域において、肉眼で視認した場合の平面図及び模式図。
【図９】本発明にかかわる第一の網点構成により形成した印刷物（Ｓ）を、赤外線光源（Ｋ）下において、赤外線表示装置などの装置を介して観察した場合の平面図及び模式図。
【図１０】本発明にかかわる第一の網点構成の変形例を示す模式図。
【図１１】本発明にかかわる図１（ａ）に示した、画像（２）を形成する本網点構成の第二実施形態を示す模式図。
【図１２】本発明にかかわる図１（ａ）に示した、画像（２）を形成する本網点構成の第三実施形態を示す模式図。
【図１３】本発明にかかわる図１（ａ）に示した、画像（２）を形成する本網点構成の第四実施形態を示す平面図及び模式図。
【発明を実施するための形態】
【００２８】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００２９】
図１は、本発明にかかわる潜像画像を有する印刷物（以下、「印刷物」という。）を示す平面図及び模式図の一例である。図１（ａ）に示すように、本発明の印刷物（Ｓ）は、紙、プラスチックカード等の基材（１）上の少なくとも一部の印刷領域に、画像（２）が印刷により形成されている。なお、この画像（２）と印刷領域は同一領域な為、以下印刷領域は省略する。画像（２）は、一般的に用いられるシアン（Ｃ）、マゼンタ（Ｍ）、イエロー（Ｙ）及びブラック（Ｂｋ）のインキと、更に観察角度によって、周囲の領域との色差ΔＥが変化する材料を形成している。画像（２）は、本出願人が特許第３５４４５３６号公報にて提案した同一平面上に網点で構成された二つの画像を、特殊な網点構成によって、互いに重なり合うことなく配置した画像処理法を一部利用することにより生成される。なお、特殊な網点構成については、後述する。
【００３０】
図１（ａ）に示した画像（２）には、可視画像（６）、第一の潜像画像（７）及び第二の潜像画像（８）が埋め込まれている。画像（２）に各画像を埋め込むことで、可視光源下において、連続階調のフルカラー画像に視認されるが、異なる所定の視認条件下においては、その所定の視認条件毎に、異なる画像を視認することが可能となる。図１（ａ）に示した、本発明の印刷物（Ｓ）は、図１（ｂ）に示す本網点構成により、可視光源下における通常の視認条件（第一の視認条件）と、可視光源下において基材（１）を傾けるという視認条件（第二の視認条件）と、赤外線光源下において観察するという視認条件（第三の視認条件）により、それぞれ異なる画像を視認することができる。
【００３１】
図１（ａ）に示した画像（２）は、可視光源下における拡散光領域で観察した際には、図１（ｃ１）に示した、可視画像（６）を視認することが可能である。また、可視光源下において、基材（１）を傾ける、つまり、図１（ａ）に示した画像（２）を、可視光源下における正反射光領域で観察した際には、図１（ｃ２）に示した、文字や顔画像等から構成された第一の潜像画像（７）を視認することが可能である。さらに、赤外線カメラ等の鑑定装置を用いて観察した際には、図１（ｃ３）に示した、文字や顔画像等から構成された第二の潜像画像（８）を視認することが可能となる。このように、図１（ａ）に示した画像（２）は、三つの異なる画像を有している。なお、この視認原理については、後述する。
【００３２】
（本発明における本網点構成の第一実施形態）
図１（ｂ）は、本網点構成の第一実施形態（以下、「第一の網点構成」という。）を示す模式図である。図１（ｂ）に示すように、画像（２）は、基材（１）上に、第一の領域（３）、第二の領域（４）及び第三の領域（５）により形成されている。第一の領域（３）、第二の領域（４）及び第三の領域（５）は、各領域がマトリックス状に複数配置されることで、画像（２）を形成している。各領域をマトリックス状に配置することで、可視画像（６）、第一の潜像画像（７）及び第二の潜像画像（８）は、モアレを発生せずに画像（２）に埋め込むことが可能となる。
【００３３】
第一の網点構成においては、第一の領域（３）に囲まれるように中心領域（Ｃ）が配置されている。中心領域（Ｃ）は、第一の領域（３）よりも小さい面積で第一の領域（３）の外周に沿って等間隔に配置されている。中心領域（Ｃ）を第一の領域（３）よりも大きい面積で形成した際には、可視光源下において第三の領域（５）がノイズとなり可視画像（６）の視認性を低下させるので好ましくない。第二の領域（４）は、第一の領域（３）内に配置され、第三の領域（５）は、中心領域（Ｃ）に配置されている。なお、画像（２）における第一の領域（３）、第二の領域（４）及び第三の領域（５）の配置個所は、これに限定されるものではなく、この形態の態様については後述する。
【００３４】
図１（ｃ１）は、可視画像（６）及び第一の領域（３）の一例を示す図である。第一の領域（３）は、可視光源下における拡散光領域において視認可能な可視画像（６）を形成する領域である。第一の領域（３）内には、第一の網点部（３ａ）が配置されている。可視画像（６）は、第一の領域（３）内における、第一の網点部（３ａ）と第一の網点部（３ａ）以外の領域との面積比率に応じて、複数配置された第一の領域（３）により階調を付与することが可能となる。
【００３５】
第一の網点部（３ａ）は、赤外線吸収色素を含まない材料を用いて形成する。第一の網点部（３ａ）は、赤外線吸収色素を含まない材料によって形成することで、赤外線カメラ等の特殊な鑑定装置を用いて観察した場合においては、可視画像（６）を視認することができなくなる。
【００３６】
なお、赤外線吸収色素を含まない材料には、赤外線吸収特性を有さなければ特に限定されず、公知のグラビアインキ、スクリーンインキ、プロセスインキ等を使用することができる。例えば、基本４色インキのうち、シアン(Ｃ)、マゼンタ(Ｍ)、イエロー(Ｙ)は、赤外線を吸収しない性質を持っており、これら３色を重ね合わせたもので黒色系を表現すれば赤外線を吸収しない色素と同様な効果が得られる。又はクロモファインブラックインキ（大日精化工業株式会社製）やインクジェットプリンタ用の染料系インク（例えば、Ｃａｎｏｎ製染料系ブラックインク等）を使用することもできる。
【００３７】
図１（ｃ２）は、第一の潜像画像（７）及び第二の領域（４）の一例を示す図である。第二の領域（４）は、可視光源下において基材（１）を傾けることで視認可能な第一の潜像画像（７）を形成する領域であり、第二の網点部（４ａ）及び第二のカムフラージュ部（４ｂ）により構成されている。第一の潜像画像（７）は、第二の領域（４）における第二の網点部（４ａ）と第二のカムフラージュ部（４ｂ）との面積比率に応じて、複数配置された第二の領域（４）により階調を付与することが可能となる。
【００３８】
第二の領域（４）において、第二の網点部（４ａ）は、定位置の照明光源に対して観察角度を拡散光領域から正反射光領域へ変化させることで、第二のカムフラージュ部（４ｂ）との色差ΔＥが所定の値変化する材料を用いて形成する。本発明における色差は、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００３９】
色差ΔＥが変化するとは、例えば定位置の照明光源に対して観察角度を変化させることで明度及び／又は色が変化する材料を用いて印刷インキを作製し、紙等の基材上に印刷部として付与して印刷物Ａを作製する。同様に定位置の照明光源に対して観察角度を変化させることで明度及び／又は色が変化しない材料を用いて印刷インキを作製し、前述の紙等の基材上に印刷部として付与して印刷物Ｂを作製する。印刷物Ａと印刷物Ｂの色差ΔＥがＸとする。次に、印刷物Ａ及び印刷物Ｂを定位置に設置した照明光源下において、観察角度を変化させたのち、再度、印刷物Ａと印刷物Ｂの色差ΔＥを測定する。その測定した際の色差ΔＥが前述したＸとは異なる値であるならば、色差ΔＥが変化したことになる。前述のとおり、定位置の照明光源に対して観察角度を変化させることで明度及び／又は色が変化する材料であるならば、その材料は観察角度によって色差ΔＥが変化する材料となる。
【００４０】
本発明における拡散光領域とは、定位置の照明光源からの入射光角度が４５°の場合において、受光角度が−１０〜１０°となる領域であり、正反射光領域とは、定位置の照明光源からの入射光角度が４５°の場合において受光角度が３５〜５５°となる領域のことを指す。なお、色差ΔＥが所定の値変化する原理については、後述する。
【００４１】
観察角度によって、第二のカムフラージュ部（４ｂ）との色差ΔＥが所定の値変化する材料には、例えば、光輝性材料がある。光輝性材料とは、金属粉インキ、フォイル（金属箔）、金属蒸着により基材（１）上に形成したもの、金属、金属光沢調フィルム等がある。金属粉インキとは、一回の印刷で金属色を示すインキである。金属粉インキは、ビヒクルに微細な金属粉を混和して作製する。金属粉インキには、金インキ及び銀インキがある。金インキとは、ビヒクルに微細な黄銅粉末を混和して作製したインキであり、銀インキとは、ビヒクルに微細なアルミニウム粉末を混和して作製したインキである。金インキのみを用いて印刷を施した印刷物は、可視光源下の拡散光領域においては肉眼で第一の潜像画像（７）を視認することが出来ず、反対に、可視光源下の正反射光領域においては肉眼で光輝性を有する金色として視認される。また、銀インキのみを用いて印刷を施した印刷物は、可視光源下の拡散光領域においては肉眼で光輝性（光沢）を視認することが出来ず、濃度のみが視認され、可視光源下の正反射光領域においては肉眼で光輝性を有する銀色として視認される。
【００４２】
金属粉インキの代わりにフォイル（金属箔）により第二の網点部（４ａ）を形成してもよい。フォイルとしては、金箔や銀箔などがある。フォイルは、ホットスタンプ方式又はコールドフォイル方式により基材（１）上へ付与する。ホットスタンプ方式は、シート状のフォイルを基材に重ね、高温の金属刻印で加圧して基材に箔押しする方式である。また、コールドフォイル方式は、基材（１）に接着剤を塗布し、シート状のフォイルを基材に重ね、加圧して箔を転写する方式である。
【００４３】
フォイル（金属箔）の代わりに金属蒸着によりアルミ等を基材（１）上に形成したもの（株式会社竹尾製、オフメタルＮ  銀  １６５kg等）でもよい。また、基材（１）自体をステンレスやアルミ等の金属としてもよい。さらに、基材（１）に金属光沢調フィルム（東レ株式会社製、ＰＩＣＡＳＵＳ等）を用いても良い。金属光沢調フィルムとは、異種ポリマーを多層積層し形成した、ポリエステルフィルムであり、金属を使用せずに金属調の光沢を得ることが可能な材料のことである。
【００４４】
また、第二の領域（４）の第二の網点部（４ａ）については、前述のとおり、第二のカムフラージュ部（４ｂ）との色差ΔＥが所定の値変化する材料を用いて印刷インキ、フォイル等を作製し、その印刷インキ、フォイル等を用いて、基材（１）上に、第二の網点部（４ａ）を形成すること等で説明したが、別の態様として、基材（１）自体に定位置の照明光源に対して観察角度を拡散光領域から正反射光領域へ変化させることで色が変化する材料を用いても良い。例えば、光輝性材料を用い、その基材（１）の上に、第二の網点部（４ａ）に該当する箇所のみを除いた全領域に、赤外線吸収色素を含まず、かつ、基材（１）を、定位置の照明光源に対して観察角度を拡散光領域から正反射光領域へ変化させることで、色差ΔEが所定の値変化させない隠蔽材料（以下、「隠蔽材料」とする）を印刷する。それにより得られる印刷物は、定位置の照明光源に対して観察角度を拡散光領域から正反射領域へと変化させることにより、後述する隠蔽材料を施さない領域（Ｗ’）を介して、基材（１）である光輝性材料を一部露出させることにより形成された第二の網点部（４ａ）と、第二のカムフラージュ部（４ｂ）との色差ΔＥが所定の値変化することで、第一の潜像画像（７）が視認可能となる。つまり、基材（１）自体に定位置の照明光源に対して観察角度を拡散光領域から正反射光領域へ変化させることで色が変化する材料とは、印刷物となった際に、第二の網点部（４ａ）と、第二のカムフラージュ部（４ｂ）との色差ΔＥが所定の値変化する材料のことである。
【００４５】
なお、第二の領域（４）において、第二の網点部（４ａ）は印刷を行わない、所謂、第二の領域（４）において第二の網点部（４ａ）をくり抜いた状態とする。そうすることで、第二の網点部（４ａ）は、隠蔽材料が印刷されていない領域を介して、基材（１）の光輝性を確認できることとなり、結果的には、第二の網点部（４ａ）は、光輝性材料により形成されていることとなる。
【００４６】
その構成を図示したものが、図２である。図２（ａ）に示すように、光輝性の基材（１）上に、隠蔽材料による隠蔽領域（Ｗ）を形成し、その上に、本発明の網点構成を印刷インキにより形成する。ただし、第二の領域（４）の第二の網点部（４ａ）については、赤外線吸収色素を含む材料及び赤外線吸収色素を含まない材料のいずれも配置しない。併せて、第二の網点部（４ａ）と重なる部分の、隠蔽領域（Ｗ）の一部は、隠蔽材料を施さない領域（Ｗ’）とする。
【００４７】
隠蔽材料は、白インキ、マットインキ（マットタイプのＯＰニス）等を用いることが可能だが、赤外線吸収色素を含まず、かつ、基材（１）を、定位置の照明光源に対して観察角度を拡散光領域から正反射光領域へ変化させることで色差ΔＥが所定の値変化させない材料であればこれに限定されない。なお、白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。
【００４８】
図２（ａ）において、Ｙ１−Ｙ２における断面図を示すのが図２（ｂ）である。図２（ａ）に示すように、本発明の網点構成を形成している印刷層において、第二の網点部（４ａ）は、何も印刷されておらず、同時に、隠蔽領域（Ｗ）においても、一部が隠蔽材料を施さない領域（Ｗ’）となっている。隠蔽材料を施さない領域（Ｗ’）は、第二の網点部（４ａ）と同じ大きさ、同じ形状である。さらに、第二の網点部（４ａ）と隠蔽材料を施さない領域（Ｗ’）が同じ位置に配置されていることにより、実際の印刷物としては、第二の網点部（４ａ）は、隠蔽材料を施さない領域（Ｗ’）を介して、基材（１）である光輝性材料を一部露出させることにより形成されている。つまり、第二の網点部（４ａ）を光輝性材料で形成した場合と同じとなる。
【００４９】
なお、隠蔽材料を光輝性の基材（１）の上に印刷するのは、第二の網点部（４ａ）以外の本発明の網点構成によって形成される可視画像（６）の視認性に影響を与えないために、光輝性を隠蔽する役割を担っているからである。
【００５０】
また、赤外線吸収色素を含まない隠蔽材料を用いるのは、本発明の網点構成によって形成される第二の潜像画像（８）の視認性に影響を与えないためである。赤外線吸収色素を含む隠蔽材料を用いた場合には、本発明の網点構成により得られた印刷物を赤外線光源下において観察した際、第一の領域（３）、第二の領域（４）及び第三の領域（５）は、全て濃度が高く（黒っぽく）観察される。そのため、第三の網点部（５ａ）を、他の領域と識別することができず、その結果、赤外線光下において観察可能な第二の潜像画像（８）を、視認することができなくなる。
【００５１】
さらに、隠蔽材料により形成された隠蔽領域（Ｗ）は、赤外線領域での透過率が８０％以下であることが好ましい。隠蔽領域（Ｗ）の赤外線領域での透過率が８０％以上となった場合には、本発明の網点構成により得られた印刷物を赤外線光源下において観察した際、基材（１）を隠蔽する隠蔽領域（Ｗ）が透過し、第一の領域（３）、第二の領域（４）及び第三の領域（５）は、全て透過し基材（１）が観察されるため、濃度が高く（黒っぽく）観察される。そのため、第三の網点部（５ａ）を、他の領域と識別することができず、その結果、赤外線光下において観察可能な第二の潜像画像（８）を、視認することができなくなり好ましくない。
【００５２】
図３は、本発明にかかわる白インク及びマゼンタインクの分光透過率の一例を示すグラフである。図３（ａ）は、本発明における隠蔽材料の分光透過率であり、測定サンプルとして白インク（東洋インキ製造株式会社製  ＬＩＯＪＥＴ  ＦＶ０３  ホワイト）を用いて、インクジェット印刷によりＰＥＴフィルムにベタ印刷を施したものを用いた。図３（ｂ）は本発明における隠蔽材料の分光透過率であり、測定サンプルとして白インク（東洋インキ製造株式会社製  ＬＩＯＪＥＴ  ＦＶ０３  ホワイト）を用いて、インクジェット印刷によりＰＥＴフィルムに、図３（ａ）に示したサンプルに対し印刷濃度を下げて印刷を施したものを用いた。
【００５３】
図３（ｃ）は、本発明における赤外線吸収色素を含まない材料の分光透過率であり、測定サンプルとしてマゼンタインク（東洋インキ製造株式会社製  ＬＩＯＪＥＴ  ＦＶ０３  マゼンタ）を用いて、インクジェット印刷によりＰＥＴフィルムにベタ印刷を施したものを用いた。なお、図３に示した分光透過率は、各測定サンプルの分光透過率から、基材であるＰＥＴフィルム単体の分光透過率を除算したものを示しており、分光透過率は、自記分光光度計（ＨＩＴＡＣＨＩ製、Ｕ−４０００形）を用いて測定した。
【００５４】
７６０〜８００ｎｍの赤外線領域において、分光透過率の変化をそれぞれ比較すると、隠蔽材料（ａ）における分光透過率は、いずれの領域においても５０％程度とほぼ一定である。印刷濃度を下げて印刷した隠蔽材料（ｂ）における分光透過率は、赤外線領域において８０％程度とベタ印刷した隠蔽材料（ａ）と比べると高い値となっている。赤外線吸収色素を含まない赤外線透過材料（ｃ）は、赤外線領域においては、９５％程度とベタ印刷した白インク（ａ）及び印刷濃度を下げて印刷した白インク（ｂ）に比べ、高い値となっている。なお、同一の波長においては、赤外線吸収色素を含まない材料の場合、分光透過率が低い方が、濃度が高く（白っぽく）視認され、反対に分光透過率が高い方が、濃度が低く（透明っぽく）視認される。なお、赤外線カメラを用いて観察した際には、隠蔽材料（ａ）は白く、印刷濃度を下げて印刷した隠蔽材料（ｂ）は淡い白に、また赤外線透過材料（ｃ）はほぼ透明に観察された。
【００５５】
また、基材（１）自体を光輝性材料により形成することでも良いが、紙、プラスチックカード等の基材（１）全面に金属粉インキやフォイル（金属箔）を形成しても良い。
【００５６】
以上のとおり、本発明における第二の網点部（４ａ）については、光輝性材料、具体的には、金属粉インキ、フォイル（金属箔）等により形成しても良く、また、基材（１）自体を光輝性材料により形成又は基材（１）上に光輝性材料を形成し、その光輝性材料の上に、第二の網点部（４ａ）の部分だけを除いて隠蔽材料による隠蔽層を形成することにより、第二の網点部（４ａ）を実質上基材（１）の光輝性材料により形成しても良い。それにより得られた図２に示す印刷物は、定位置の照明光源に対して観察角度を拡散光領域から正反射領域へと変化させることにより、隠蔽材料を施さない領域（Ｗ’）を介して、基材（１）である光輝性材料を一部露出させることにより形成された第二の網点部（４ａ）と、第二のカムフラージュ部（４ｂ）との色差ΔＥが所定の値変化することで、第一の潜像画像（７）が視認可能となる。なお、以降については、基材（１）自体に光輝性材料を用いて第二の網点部（４ａ）を形成する態様ではなく、第二の網点部（４ａ）自体を第二のカムフラージュ部（４ｂ）との色差ΔＥが所定の値変化する材料、具体的には光輝性材料により形成する例により説明する。
【００５７】
なお、後述する第一の網点構成の変形例、第二の網点構成、第三の網点構成及び第四の網点構成においても、同様に光輝性の基材（１）上に、隠蔽材料による隠蔽領域（Ｗ）を形成し、その上に、本発明の網点構成を印刷インキにより形成することが可能であることは言うまでもない。
【００５８】
第二の領域（４）において、第二のカムフラージュ部（４ｂ）は、拡散光領域において第二の網点部（４ａ）と等色であり、第二の網点部（４ａ）の周囲に赤外吸収色素を含む材料を用いて形成する。
【００５９】
本発明における等色とは、色差ΔＥが６未満のことを指す。一般的に色差ΔＥが６前後においては、異なって視認される可能性がある。ただし、前述のとおり本発明においては、第一の領域（３）、第二の領域（４）及び第三の領域（５）は、肉眼ではそれぞれの領域を区別して視認することが出来ない微細な網点により構成している。そのことから、前述の通り色差ΔＥが６未満であれば、可視光源下の拡散光反射領域において、肉眼で第二の網点部（４ａ）を視認することが出来ず、かつ、第二の網点部（４ａ）及び第二のカムフラージュ部（４ｂ）は等色として視認される。
【００６０】
なお、メタメリズムの関係により、可視光源下の拡散光領域において観察した際に、肉眼で等しい色に視認された色が、特定の光源下の拡散光領域において観察した際に、異なる色で視認された場合においても、本発明においては、第二の網点部（４ａ）及び第二のカムフラージュ部（４ｂ）は等色に形成されているとする。
【００６１】
第一の網点構成におけるそれぞれの領域の面積（縦×横）は、例えば図１（ｂ）に示した構成において、第一の領域（３）をｍ×ｍで形成し、第二の領域（４）をｎ×ｎで形成し、第三の領域（５）をｋ×ｋで形成したとすると、ｍ＞ｎ＞０及びｍ＞ｋ＞０の範囲内で適宜設定することが可能である。好ましくは、第一の領域（３）をｍ×ｍ（ｍ≧２、ｍは整数）、第三の領域（５）をｋ×ｋ（ｋ≧１、ｋは整数）、第二の領域（４）をｎ×ｎ（ｎ≧１、ｎは整数）で形成し、更に第一の領域（３）の面積が、第二の領域（４）及び第三の領域（５）の面積の和よりも大きい（ｍ２＞ｎ２＋ｋ２）ことが好ましい。第一の領域（３）の面積が、第二の領域（４）及び第三の領域（５）の面積の和よりも小さい場合には、可視光源下の拡散光領域で観察した際に、第二の領域（４）及び第三の領域（５）がノイズとなり、可視画像（６）の視認性を低下させ好ましくない。
【００６２】
図４は、本発明にかかわる基材（１）、金属粉インキ及び赤外線吸収色素を含むインキの分光反射率の一例を示すグラフである。図４における（ａ）は、本発明における基材（１）の分光反射率であり、測定サンプルとしてインクジェットプリンタ用写真用紙（ＥＰＳＯＮ製  写真用紙＜光沢＞）を用いた。（ｂ）は、本発明における第二の網点部（４ａ）の分光反射率であり、測定サンプルとして、金属粉インク（日本ペイント株式会社製、金コロイドインク）を用いてインクジェット印刷によりベタ印刷を施したものを用いた。（ｃ）は、本発明における赤外線吸収色素を含む材料の分光反射率であり、カーボンブラック（ＥＰＳＯＮ製  マットブラック）を用いてインクジェット印刷によりベタ印刷を施したものを用いた。なお、分光反射率は、自記分光光度計（ＨＩＴＡＣＨＩ製、Ｕ−４０００形）を用いて測定した。
【００６３】
４００〜７６０ｎｍの可視光領域と、７６０〜８００ｎｍの赤外線領域において、分光反射率の変化をそれぞれ比較すると、写真用紙（ａ）における分光反射率は、いずれの領域においても９０％前後とほぼ一定である。金属粉インク（ｂ）における分光反射率は、可視光領域、赤外線領域、いずれの領域においても写真用紙（ａ）と比べると低く、赤外線領域においては、金属粉インク（ｂ）も５０％程度と、写真用紙（ａ）に比べ、低い値となっている。赤外線吸収インク（ｃ）は、いずれの領域においても１０％前後とほぼ一定であり、赤外線領域においては、写真用紙（ａ）に比べ、低い値となっている。なお、同一の波長においては、分光反射率が高い方が、濃度が低く（白っぽく）視認され、反対に分光反射率が低い方が、濃度が高く（黒っぽく）視認される。なお、赤外線カメラを用いて観察した際には、写真用紙（ａ）は白く、金属粉インク（ｂ）はグレーに、また赤外線吸収インク（ｃ）は黒く観察された。
【００６４】
第二の網点部（４ａ）を、観察角度を定位置の照明光源に対して拡散光領域から正反射光領域へ変化させることで、第二のカムフラージュ部（４ｂ）との色差ΔＥが所定の値変化する材料を用いて形成し、第二のカムフラージュ部（４ｂ）を、図５（ａ）に示した拡散光領域において第二の網点部（４ａ）と等色であり、赤外吸収色素を含む材料を用いて第二の網点部（４ａ）の周囲に形成することで、拡散光領域においては、第二の網点部（４ａ）及び第二のカムフラージュ部（４ｂ）は等色に視認される。そのため、第二の領域（４）は、均一な平網状態となり、肉眼では第一の潜像画像（７）を認識することはできない。
【００６５】
また、赤外線カメラ等の特殊な鑑定装置を用いて赤外線領域で観察した場合においては、第二の網点部（４ａ）は、基材（１）に比べ濃度が高く（黒っぽく）視認される。また、第二のカムフラージュ部（４ｂ）は、赤外吸収色素を含む材料を用いて形成されていることから、赤外線領域で観察した場合においては、基材（１）に比べ濃度が高く（黒っぽく）視認される。また、第二のカムフラージュ部（４ｂ）は、可視光領域の拡散光領域で第二の網点部（４ａ）と等色であり、赤外吸収色素を含む材料を用いていることから、赤外線領域においては、第二の網点部（４ａ）及び第二のカムフラージュ部（４ｂ）は識別することができないので、第一の潜像画像（７）を視認することが出来ないとともに、第二の領域（４）は、全て一様な濃度を有するベタ領域として視認される。
【００６６】
赤外線吸収色素を含む材料には、カーボンブラックを主体としたブラック（Ｂｋ）がある。ただし、赤外線吸収特性を有する材料であればこれに限定しない。第二の網点部（４ａ）及び第二のカムフラージュ部（４ｂ）は、第二の領域（４）内に重畳又は毛抜き合わせにより形成することが可能であるが、本発明においては重畳により形成することが好ましい。毛抜き合わせにより形成した際には、高い刷り合せ精度が要求される。刷り合わせ精度が低い際には、第二の網点部（４ａ）の周囲に被印刷部が発生する。それにより、可視光源下における拡散光領域おいて、第二の領域（４）は均一な平網状態とはならず、肉眼で第一の潜像画像（７）が視認可能となる恐れがある。さらに、赤外線領域で観察した場合において、前述した被印刷部は赤外線を透過する。それにより、被印刷部は濃度が低く視認されるため、赤外線領域において第二の領域（４）は、一様な濃度を有するベタ領域とはならず、第一の潜像画像（７）が観察可能となる恐れがある。
【００６７】
図１（ｃ３）は、第二の潜像画像（８）及び第三の領域（５）の一例を示す図である。第三の領域（５）は、図１（ｃ３）に示した、赤外線光源下において視認可能な第二の潜像画像（８）を形成する領域であり、第三の網点部（５ａ）及び第三のカムフラージュ部（５ｂ）により構成されている。第二の潜像画像（８）は、第三の領域（５）における第三の網点部（５ａ）と第三のカムフラージュ部（５ｂ）との面積比率に応じて、複数配置された第三の領域（５）により階調を付与することが可能となる。第三の領域（５）において、第三の網点部（５ａ）は、赤外線吸収色素を含む材料を用いて形成する。なお、赤外線吸収色素を含む材料には、カーボンブラックを主体としたブラック（Ｂｋ）がある。ただし、赤外線吸収特性を有する材料であればこれに限定しない。
【００６８】
第三の領域（５）において、第三のカムフラージュ部（５ｂ）は、赤外線吸収色素を含まない材料を用いて、第三の網点部（５ａ）と等色に形成する。前述の通り、本発明における等色とは、可視光源下の拡散光領域で観察した際に、肉眼で等しい色に視認される色を指し、具体的には、色差ΔＥが６未満の色とする。なお、メタメリズムの関係により、可視光源下の拡散光領域において観察した際に、肉眼で等しい色に視認された色が、特定の光源下の拡散光領域において観察した際に、異なる色で視認された場合においても、本発明においては、第三のカムフラージュ部（５ｂ）及び第三の網点部（５ａ）は等色に形成されているとする。
【００６９】
第三の網点部（５ａ）を、赤外線吸収色素を含む材料を用いて形成し、第三のカムフラージュ部（５ｂ）を、赤外線吸収色素を含まない材料を用いて、第三の網点部（５ａ）と等色に形成することで、可視光源下においては、第三の網点部（５ａ）及び第三のカムフラージュ部（５ｂ）は等色に視認される。そのため、第三の領域（５）は、均一な平網状態となり、肉眼では第二の潜像画像（８）を認識することはできないが、赤外線カメラ等の特殊な鑑定装置を用いて観察した場合においては、第二の潜像画像（８）を視認することが可能となる。第三の網点部（５ａ）及び第三のカムフラージュ部（５ｂ）は、第三の領域（５）内に重畳又は毛抜き合わせにより形成することが可能であるが、本発明においては重畳により形成することが好ましい。毛抜き合わせにより形成した際には、高い刷り合せ精度が要求される。刷り合わせ精度が低い際には、第三の網点部（５ａ）の周囲に被印刷部が発生する。それにより、可視光源下において、第三の領域（５）は均一な平網状態とはならず、肉眼で第二の潜像画像（８）が視認可能となる恐れがある。
【００７０】
（本発明における画像の視認原理）
第二の網点部（４ａ）及び第二のカムフラージュ部（４ｂ）は、可視光源下の拡散光領域においては、等色で視認されることで、肉眼では第二の網点部（４ａ）を視認できず、反対に可視光源下の正反射光領域においては、肉眼で第二の網点部（４ａ）を視認可能となるよう構成する。一般的に物体の色は、光源、観察環境（温度）、物体の分光反射率等により決定される。これらの観察条件により視認する色の感じ方はそれぞれ異なるが、本発明において観察条件は、一定の条件であるものとする（例えば、観察条件：光源がＤ６５で観察環境が２０℃など）。
【００７１】
図５は、本発明にかかわる印刷物（Ｓ）を、定位置の可視光源（Ｒ）に対して観察角度を拡散光領域及び正反射光領域で観察した際の可視光源（Ｒ）、視点（Ｅ１、Ｅ２）及び印刷物（Ｓ）の三つの位置関係を示した図である。可視光源（Ｒ）と視点（Ｅ１）と印刷物（Ｓ）が図５（ａ）に示す位置関係にあるとき、拡散光領域で観察したことになる。また、可視光源（Ｒ）と視点（Ｅ２）と印刷物（Ｓ）が図５（ｂ）に示す位置関係にあるときは、正反射光領域で観察したことになる。
【００７２】
次に、観察角度の変化により、第二の網点部（４ａ）と第二のカムフラージュ部（４ｂ）との色差ΔＥが所定の値変化する原理について説明する。前述のとおり、本発明における拡散光領域とは、定位置の照明光源からの入射光角度が４５°の場合において、受光角度が−１０〜１０°となる領域であり、正反射光領域とは、定位置の照明光源からの入射光角度が４５°の場合において受光角度が３５〜５５°となる領域のことである。印刷物（Ｓ）において、第二の網点部（４ａ）及び第二のカムフラージュ部（４ｂ）は、図５（ａ）に示す拡散光領域を意味する位置関係では等色であり、肉眼ではそれぞれの領域を区別して視認することができず、可視画像（６）のみ視認される。
【００７３】
反対に、図５（ｂ）に示す正反射光領域において、第二の網点部（４ａ）は、観察角度を変化させることで明度及び／又は色が変化する材料を用いて形成している。それにより、観察角度を定位置の照明光源に対して拡散光領域から正反射光領域へ変化させることで、明度及び／又は色が変化し、第二の網点部（４ａ）と第二のカムフラージュ部（４ｂ）の色差ΔＥが所定の値変化する。よって、第二の網点部（４ａ）は視認可能となり、第一の潜像画像（７）が視認可能となる。
【００７４】
図６は、本発明にかかわる拡散光領域又は正反射光領域における、それぞれの第二の網点部（４ａ）及び第二のカムフラージュ部（４ｂ）の色差ΔＥを示すグラフであり、図６（ａ）は、拡散光領域における第二の網点部（４ａ）及び第二のカムフラージュ部（４ｂ）の色差ΔＥを示し、図６（ｂ）は、正反射光領域における第二の網点部（４ａ）及び第二のカムフラージュ部（４ｂ）の色差ΔＥを示す。なお、図６における本網点構成は、図１（ｂ）と同じ網点構成とする。
【００７５】
測定サンプルは、第一の領域（３）を９×９ピクセル、第二の領域（４）を１×１ピクセル及び第三の領域（５）を２×２ピクセルとして、基材（ＥＰＳＯＮ製  写真用紙＜光沢＞）上に、第一の領域（３）及び第三の領域（５）を印刷せずに第二の網点部（４ａ）の面積率を１００％（第二のカムフラージュ部（４ｂ）の面積率を０％）とし、金属粉インク（日本ペイント株式会社製、金コロイドインク）を用いてインクジェット印刷により印刷し作製した測定サンプルＡ（４×４ｃｍ）と、第一の領域（３）及び第三の領域（５）を印刷せずに第二のカムフラージュ部（４ｂ）の面積率を１００％（第二の網点部（４ａ）の面積率を０％）とし、黒色インク（ＥＰＳＯＮ製  マットブラック）及びプロセスインク（ＥＰＳＯＮ製、シアン、マゼンタ、イエロー）を用いて、基材（ＥＰＳＯＮ製  写真用紙＜光沢＞）上に、インクジェット印刷により印刷し作製した測定サンプルＢ（４×４ｃｍ）とを用いて測定した。
【００７６】
図６（ａ）に示した拡散光領域における第二の網点部（４ａ）及び第二のカムフラージュ部（４ｂ）の色差ΔＥを示すグラフと、図６（ｂ）に示した正反射光領域における第二の網点部（４ａ）及び第二のカムフラージュ部（４ｂ）の色差ΔＥは、変角分光光度計ＧＳＰ−２型（（株）村上色彩技術研究所製。以下、「測定装置」という。）を用いて、前記測定サンプルＡ及び測定サンプルＢのＬ＊の値、ａ＊の値、及びｂ＊の値を測定し、得られた値から色差ΔＥを算出した。
【００７７】
ただし、図５（ａ）に示した拡散光領域を意味する位置関係を測定装置上で再現するために、各測定サンプルに対する可視光源の入射光を４５゜に固定し、受光角度を−１０゜から１０゜まで変化させて測定した。また、図５（ｂ）に示した正反射光領域を意味する位置関係を測定装置上で再現するために、各測定サンプルに対する可視光源の入射光を４５゜に固定し、受光角度を３５゜から５５゜まで変化させ測定した。なお、測定装置校正は、標準白色板４０２０Ａを用いて、入射光角度４５゜、受光角度０゜、すなわち標準白板に対して完全拡散面で校正を実施した。
【００７８】
図６（ａ）に示したように、拡散光領域においては、第二の網点部（４ａ）及び第二のカムフラージュ部（４ｂ）との色差ΔＥは、いずれの受光角度においても１．４３〜１．４７と相対的に小さい値を示している。前述した通り、色差ΔＥが６未満であれば等色であることから、拡散光領域においては、常に第二の網点部（４ａ）及び第二のカムフラージュ部（４ｂ）は等色といえる。よって、第二の網点部（４ａ）及び第二のカムフラージュ部（４ｂ）は肉眼で識別することが困難であり、その結果、画像（２）内に形成された第一の潜像画像（７）は視認することができない。
【００７９】
反対に、図６（ｂ）に示した正反射光領域においては、第二の網点部（４ａ）及び第二のカムフラージュ部（４ｂ）との色差ΔＥが、７．３８を示す受光角度が存在する。拡散光領域（例えば、受光角度０°）における、第二の網点部（４ａ）と第二のカムフラージュ部（４ｂ）との色差ΔＥが１．４５に対して、正反射光領域（例えば、受光角度４５°）における、第二の網点部（４ａ）と第二のカムフラージュ部（４ｂ）との色差ΔＥは７．３８である。つまり、観察角度を拡散光領域から正反射光領域へ変化させることで、色差ΔＥは、１．４５から７．３８へと、５．９３変化する。よって、色差ΔＥが５以上変化することで、第二の網点部（４ａ）及び第二のカムフラージュ部（４ｂ）は肉眼で識別することが可能となり、その結果、画像（２）内に形成された第一の潜像画像（７）を視認することが可能となる。
【００８０】
なお、同じ観察条件下においては、基材（１）を傾けることにより、拡散光領域と正反射光領域は切り替えられる。つまり、基材（１）を傾けることで、第二の網点部（４ａ）及び第三のカムフラージュ部（４ｂ）は肉眼で識別することが可能となる。その結果、画像（２）内に形成された第一の潜像画像（７）を視認することが可能となる。
【００８１】
（本発明における可視画像の視認原理）
図７は、本発明にかかわる第一の網点構成により形成した印刷物（Ｓ）を、定位置の可視光源（Ｒ）下の拡散光領域において、肉眼で視認した場合の平面図及び模式図である。図７（ａ１）に示した印刷物（Ｓ）は、図７（ａ２）に示すように、可視光源（Ｒ）下の拡散光領域において、第一の網点部（３ａ）は肉眼で視認可能となる。つまり、可視画像（６）を視認することが可能となる。第二の網点部（４ａ）及び第二のカムフラージュ部（４ｂ）は、可視光源下の拡散光領域において等色で視認されることで、肉眼では区別することが不可能となり、第二の網点部（４ａ）で形成した第一の潜像画像（７）は、肉眼で視認することはできない。
【００８２】
また、第三の網点部（５ａ）及び第三のカムフラージュ部（５ｂ）は、可視光源下の拡散光領域において肉眼では等色に視認されるため、第三の網点部（５ａ）及び第三のカムフラージュ部（５ｂ）を区別することが不可能となる。つまり、第二の潜像画像（８）は、視認することはできない。したがって、可視光源（Ｒ）下の拡散光領域において画像（２）を肉眼で視認した際には、可視画像（６）のみ視認可能となる。
【００８３】
図７（ｂ）は、第一の網点構成により形成した印刷物（Ｓ）を、定位置の可視光源（Ｒ）下の拡散光領域において、肉眼で視認した場合の模式図である。図７（ｂ）を用いて、可視光源（Ｒ）下の拡散光領域において、肉眼では、可視画像（６）のみが視認可能となる原理について説明する。印刷物（Ｓ）を、可視光源（Ｒ）下の拡散光領域において、肉眼で視認した際には、まず、第一の領域（３）においては、可視光源（Ｒ）からの入射光（Ｒ１）によって、正反射光（Ｒ２）と 拡散光（Ｒ３）が生じ、拡散光領域では拡散光（Ｒ３）が得られる。
【００８４】
第二の領域（４）においては、可視光源（Ｒ）からの入射光（Ｒ１）によって、正反射光（Ｒ４）と拡散光（Ｒ５）が生じ、拡散光領域では拡散光（Ｒ５）が得られる。また、第二の領域（４）は、第二の網点部（４ａ）及び第二のカムフラージュ部（４ｂ）で構成されていることから、双方につき、それぞれ正反射光（図示せず）と拡散光（図示せず）が得られる。第二の網点部（４ａ）と第二のカムフラージュ部（４ｂ）は、可視光源下の拡散光領域で観察した時に等色になるように形成されていることから、それぞれの領域における拡散光の差異は、肉眼では確認できない。
【００８５】
さらに、第三の領域（５）においては、可視光源（Ｒ）からの入射光（Ｒ１）によって、正反射光（Ｒ６）と拡散光（Ｒ７）が生じ、拡散光領域では拡散光（Ｒ７）が得られる。また、第三の領域（５）は、第三の網点部（５ａ）及び第三のカムフラージュ部（５ｂ）で構成されていることから、双方につき、それぞれ正反射光（図示せず）と拡散光（図示せず）が得られる。第三の網点部（５ａ）と第三のカムフラージュ部（５ｂ）は、拡散光領域で観察した時に等色になるように形成されていることから、それぞれの領域における拡散光の差異は、肉眼では確認できない。
【００８６】
本発明の網点構成においては、第一の領域（３）は、第二の領域（４）及び第三の領域（５）より面積を大きく構成する。可視光源下における拡散光領域においては、第一の領域（３）、第二の領域（４）及び第三の領域（５）の拡散光の強さは、ほぼ一定である。そのため、第一の領域（３）は、第二の領域（４）よりも面積を大きく構成することで、可視光源下における拡散光領域においては、可視画像（６）を形成する第一の領域（３）の拡散光（Ｒ３）が、第二の領域（４）及び第三の領域（５）の拡散光よりも支配的に観察される。よって、可視光源下の拡散光領域においては、印刷物（Ｓ）を観察した場合、可視画像（６）のみを視認することができ、第一の潜像画像（７）及び第二の潜像画像（８）を視認することはできない。
【００８７】
（本発明における第一の潜像画像の視認原理）
図８は、本発明にかかわる第一の網点構成により形成した印刷物（Ｓ）を、定位置の可視光源（Ｒ）下の正反射光領域において、肉眼で視認した場合の平面図及び模式図である。図８（ａ１）に示した印刷物（Ｓ）は、図８（ａ２）に示すように、可視光源（Ｒ）下の正反射光領域において、第二の網点部（４ａ）は肉眼で視認可能となる。つまり、第一の潜像画像（７）を視認することが可能となる。第二の網点部（４ａ）及び第二のカムフラージュ部（４ｂ）は、可視光源下の正反射光領域において色差ΔＥが変化して視認されることで、肉眼で区別することが可能となる、第二の網点部（４ａ）で形成した第一の潜像画像（７）を、肉眼で視認することができる。
【００８８】
図８（ｂ）は、本発明にかかわる第一の網点構成により形成した印刷物（Ｓ）を、可視光源（Ｒ）下の正反射光領域において、視認した場合の模式図である。図８（ｂ）を用いて、可視光源（Ｒ）下の正反射光領域において、肉眼で、第一の潜像画像（７）が視認可能となる原理について説明する。印刷物（Ｓ）を、可視光源（Ｒ）下の正反射光領域において、肉眼で視認した際には、まず、第一の領域（３）においては、可視光源（Ｒ）からの入射光（Ｒ１）によって、正反射光（Ｒ２）と拡散光（Ｒ３）が生じ、正反射光領域では正反射光（Ｒ２）が得られる。
【００８９】
第一の潜像画像（７）を形成する第２の網点部（４ａ）では、正反射光（Ｒ４）が得られる。また、第二のカムフラージュ部（４ｂ）、第三の網点部（５ａ）及び第三のカムフラージュ部（５ｂ）では可視光源（Ｒ）からの入射光（Ｒ１）によって、正反射光（Ｒ６）と拡散光（Ｒ７）が生じ、正反射光領域では正反射光（Ｒ６）が得られる。
【００９０】
よって、第二の網点部（４ａ）は、観察角度を変化させることで明度及び／又は色が変化する材料を用いた印刷インキで形成しており、第二の網点部（４ａ）の正反射光（Ｒ４）は、第一の領域（３）、第二のカムフラージュ部（４ｂ）、第三の網点部（５ａ）及び第三のカムフラージュ部（５ｂ）のそれぞれの正反射光（Ｒ６）よりも高くなり、その明度の差異によって第二のカムフラージュ部（４ｂ）に対して第二の網点部（４ａ）に色差ΔＥが生じて潜像画像として第一の潜像画像（７）を視認することができる。よって、可視光源下の正反射光領域においては、印刷物（Ｓ）を観察した場合、新たに第一の潜像画像（７）を視認することができる。
【００９１】
なお、可視光源下の正反射光領域において、可視光源（Ｒ）からの入射光（Ｒ１）の強度、基材（１）の光沢度、またはそれぞれの領域のインキの光沢度の差によって、第三の網点部（５ａ）及び第三のカムフラージュ部（５ｂ）のそれぞれの正反射光（Ｒ６）に差異が生じ、第三の網点部（５ａ）と第三のカムフラージュ部（５ｂ）の色差ΔＥが変化する場合もある。
【００９２】
しかし、第二の網点部（４ａ）を、定位置の照明光源に対して観察角度を拡散光領域から正反射光領域へ変化させることで、第二のカムフラージュ部（４ｂ）との色差ΔＥが所定の値変化する材料を用いて形成していることから、第三の網点部（５ａ）と第三のカムフラージュ部（５ｂ）の色差ΔＥの変化量は、第二の網点部（４ａ）と第二のカムフラージュ部（４ｂ）との色差ΔＥの変化量に比べ少なくなる。よって、視覚マスキング効果により、第三の網点部（５ａ）及び第三のカムフラージュ部（５ｂ）を区別することが不可能となる。つまり、第二の潜像画像（８）は、視認することはできない。したがって、可視光源（Ｒ）下の正反射光領域において画像（２）を肉眼で視認した際には、新たに第一の潜像画像（７）が視認可能となる。
【００９３】
視覚マスキング効果とは、人間の視覚認識の特性によるもので、大小の二つの刺激が時間的空間的に接近して与えられると、大きな刺激が認識され、小さな刺激は認識されなくなったり、認識されにくくなったり、結果として小さい刺激が見えなくなるマスキング現象（大きな刺激のみが見える）が生じることが知られており、これを視覚マスキング効果と呼ぶ。なお、第二の領域（４）と第三の領域（５）の面積比の設定や第二の網点部（４ａ）を形成する観察角度を拡散光領域から正反射光領域へ変化させることで、第二のカムフラージュ部（４ｂ）との色差ΔＥが所定の値変化する材料の選定によっては、第三の網点部（５ａ）と第三のカムフラージュ部（５ｂ）の色差ΔＥの変化量が、第二の網点部（４ａ）と第二のカムフラージュ部（４ｂ）との色差ΔＥの変化量に近似し、視覚マスキング効果が弱まり、第一の潜像画像（７）の視認性が低下する場合がある。
【００９４】
よって、第二の網点部（４ａ）と第二のカムフラージュ部（４ｂ）との色差ΔＥの変化量が第三の網点部（５ａ）と第三のカムフラージュ部（５ｂ）の色差ΔＥの変化量よりも大きくなるように、第二の領域（４）と第三の領域（５）の面積比を設定したり、第二の網点部（４ａ）を形成する観察角度を拡散光領域から正反射光領域へ変化させたりすることで、明度及び／又は色が変化する材料を適切に選定することが好ましい。
【００９５】
（本発明における第二の潜像画像の視認原理）
図９は、本発明にかかわる第一の網点構成により形成した印刷物（Ｓ）を、赤外線光源（Ｋ）下において、赤外線表示装置などの装置を介して観察した場合の平面図及び模式図である。図９を用いて、赤外線光源（Ｋ）下において、第二の潜像画像（８）が観察可能となる原理について説明する。図９（ａ２）に示すように、赤外線光源（Ｋ）下において、赤外線表示装置で印刷物（Ｓ）を観察した場合、第一の領域（３）は、赤外線吸収色素を含まない材料を用いて構成されているので白く観察される。
【００９６】
第二の網点部（４ａ）は、図４（ａ）及び図４（ｂ）に示したように、赤外線領域において分光反射率が基材（１）である写真用紙（ａ）に比べ４０％程度低いことから、基材（１）に対して濃度が高く黒っぽく観察される。第二のカムフラージュ部（４ｂ）は、赤外線吸収色素を含む材料を用いて構成されているが、拡散光領域において第二の網点部（４ａ）と等色に設定することで、赤外線領域において観察した際に、図４（ｂ）と同じ濃度で観察される。
【００９７】
つまり、第二の網点部（４ａ）と第二のカムフラージュ部（４ｂ）は、赤外線領域において基材である写真用紙（ａ）に比べ分光反射率が４０％程度低いことから、黒っぽく観察される。また、第三の網点部（５ａ）は、図４（ｃ）に示したように、赤外線領域において基材である写真用紙（ａ）に比べ分光反射率が８０％程度低いことから、第二の網点部（４ａ）及び第二のカムフラージュ部（４ｂ）よりも黒っぽく観察される。つまり、図９（ａ１）に示すように、基材（１）に対し、第二の領域（４）で構成されたベタ領域（９）よりも、第三の網点部（５ａ）で構成された第二の潜像画像（８）の方が明瞭に観察することができる。
【００９８】
なお、前述のとおり赤外線光源（Ｋ）においては、ベタ領域（９）も観察可能であるが、本発明における第二の潜像画像（８）は、第三の領域（５）により形成された画像のみを言う。また、画像（２）における第一の領域（３）、第二の領域（４）及び第三の領域（５）の配置個所によっては、ベタ画像（９）は観察されない場合もあり、この形態の態様については後述する。
【００９９】
（本発明における第一の網点構成の変形例）
図１０は、本発明にかかわる第一の網点構成の変形例を示す模式図である。図１０（ａ）に示すように、第一の網点構成は四角形配列に限るものではなく、第一の領域（３）、第二の領域（４）及び第三の領域（５）を多角形としても良い。例えば、図１０（ａ）においては別の多角形配列の一例として、第一の領域（３）を六角形に、第二の領域（４）を五角形に、第三の領域（５）を三角形とした。
【０１００】
また、図１０（ａ）に示す、第一の網点構成においては、第一の領域（３）内に配置した第三の領域（５）を円形状としても良い。ただし、第一の網点構成においては、画像（２）内に隙間無く、第一の領域（３）及び第二の領域（４）及び／又は第三の領域（５）を配置する必要がある。隙間が発生すると、画像（２）において周期的な無地部分が発生し好ましくない。そのため、第一の領域（３）及び第二の領域（４）及び／又は第三の領域（５）においては、円形状とすることは好ましくない。なお、図１０（ａ）に示すように、第一の網点構成は正方形配列に限るものではなく、第一の領域（３）、第二の領域（４）及び第三の領域（５）を長方形としても良い。
【０１０１】
また、図１０（ｂ）に示すように、第二の領域（４）を第一の網点部（３ａ）上に設けても良い。ただし、第一の網点部（３ａ）上に第二の領域（４）を配置した際には、可視画像（６）が、第一の網点部（３）上以外に配置した際と比較し、第一の網点部（３ａ）の第一の領域（３）内に占める割合が小さくなる。それにより、図１（ｂ）に示した第一の網点構成と比較し、可視画像（６）の視認性は低下するが、可視画像（６）、第一の潜像画像（７）及び第二の潜像画像（８）はそれぞれ視認可能である。
【０１０２】
図１０（ｃ）に示すように、第二の領域（３）及び第三の領域（４）を第一の領域（３）内に配置し、中心領域（Ｃ）内には、第一の領域（３）、第二の領域（４）及び第三の領域（５）いずれの領域も配置しないこととすることも可能である。ただし、第一の領域（３）内に第二の領域（４）及び第三の領域（５）を配置した際には、第三の領域（５）を中心領域（ｃ）に配置した際と比較し、第一の網点部（３ａ）の第一の領域（３）内に占める割合が小さくなる。それにより、図１（ｂ）に示した第一の網点構成と比較し、可視画像（６）の視認性は低下するが、可視画像（６）、第一の潜像画像（７）及び第二の潜像画像（８）はそれぞれ視認可能である。
【０１０３】
また、図１０（ｄ）に示すように、第一の網点構成は、第二の領域（４）を、第一の領域（３）と第一の領域（３）と隣接する一つの第一の領域（３’）及び第一の領域（３）と、その隣接する一つの第三の領域（５）にまたがって配置し、第三の領域（３）を、中心領域（Ｃ）内に配置しても良い。
【０１０４】
さらに、図示しないが、図１０（ｄ）の他の網点構成として、第二の領域（４）を、第一の領域（３）と、第一の領域（３）と隣接する一つの第一の領域（３’）又は第一の領域（３）と、その隣接する一つの第三の領域（５）にまたがって配置しても良い。図１０（ｄ）においては、第二の領域（４）が大きくなることで、第三の網点部（５ａ）上に第二の領域（４）が配置されることがある。その際においては、第三の網点部（５ａ）により形成された第二の潜像画像（８）の視認性が、図１（ｂ）に示した第一の網点構成と比較し低下するが、可視画像（６）、第一の潜像画像（７）及び第二の潜像画像（８）はそれぞれ視認可能である。
【０１０５】
（本発明における本網点構成の第二実施形態）
図１１は、本網点構成の第二実施形態（以下、「第二の網点構成」という。）を示す模式図である。図１１（ａ）及び図１１（ｂ）に示すように、画像（２）は、基材（１）上に、第一の領域（３）、第二の領域（４）及び第三の領域（５）により形成されている。第一の領域（３）、第二の領域（４）及び第三の領域（５）は、それぞれ連続階調の可視画像（６）、第一の潜像画像（７）及び第二の潜像画像（８）を形成している。第一の領域（３）に囲まれるように中心領域（Ｃ）が配置され、中心領域（Ｃ）は、第一の領域（３）の外周に沿って等間隔に配置されている。
【０１０６】
図１（ｂ）に示したように、第二のカムフラージュ部（４ｂ）及び第三の網点部（５ａ）は、どちらも赤外吸収色素を含む材料を用いて形成されている。そこで、第二の網点構成においては、第二の領域（４）及び第三の領域（５）を、中心領域（Ｃ）に配置し、第二の領域（４）を、第三の網点部（５ａ）と重畳又は毛抜き合わせで配置しても良い。その際、第二のカムフラージュ部（４ｂ）は、第三の網点部（５ａ）と共有して第二の網点構成内に配置される。
【０１０７】
図１１（ａ）は、前述した、第二の網点部（４ａ’）及び第二のカムフラージュ部（４ｂ’）から成る第二の領域と、第三の網点部（４ｂ’）及び第三のカムフラージュ部（４ｃ’）から成る第三の領域を、中心領域（Ｃ）に配置し、第二の領域（４’）を、第三の網点部（４ａ’）と重畳又は毛抜き合わせで配置し、第二のカムフラージュ部（４ｂ’）は、第三の網点部（４ｂ’）と共有して配置した第二の網点構成である。
【０１０８】
第一の領域（３）は、赤外線吸収色素を含まない材料で形成した第一の網点部（３ａ）を配置し、第二の網点部（４ａ’）は、観察角度を定位置の照明光源に対して拡散光領域から正反射光領域へ変化させることで第二のカムフラージュ部（４ｂ’）との色差ΔＥが所定の値変化する材料を用いて形成し、共用して配置された第二のカムフラージュ部（４ｂ’）及び第三の網点部（４ｂ’）は、赤外線吸収色素を含む材料を用いて形成し、第三のカムフラージュ部（４ｃ’） は、赤外線吸収色素を含まない材料を用いて、共用して配置された第二のカムフラージュ部（４ｂ’）及び第三の網点部（４ｂ’）と等色に形成する。
【０１０９】
図１１（ａ）に示す第二の網点構成においては、可視画像（６）は、第一の網点部（３ａ’）により形成され、文字や顔画像等から構成された第一の潜像画像（７）は、第二の網点部（４ａ’）によって形成される。前述したように、赤外線光源下において、観察角度を定位置の照明光源に対して拡散光領域から正反射光領域へ変化させることで第二のカムフラージュ部（４ｂ’）との色差ΔＥが所定の値変化する材料は、濃度が高いため黒っぽく観察されるので、第二の網点部（４ａ’）及び共用して配置された第二のカムフラージュ部（４ｂ’）及び第三の網点部（４ｂ’）は一様な濃度で形成された一つの網点部として観察される。その特性を生かし、第二の潜像画像（８）は、第二の網点部（４ａ’）と、共用して配置された第二のカムフラージュ部（４ｂ’）及び第三の網点部（４ｂ’）によって形成される。
【０１１０】
第二の領域（４’）において、第三の網点部（４ｂ’）を重畳又は毛抜き合わせで配置する際には、第二のカムフラージュ部（４ｂ’）は第三の網点部（４ｂ’）よりも小さくする必要がある。前述したように、第二の潜像画像（８）は、赤外線光源下において第二の網点部（４ａ’）及び共用して配置された第二のカムフラージュ部（４ｂ’）及び第三の網点部（４ｂ’）は一様な濃度で形成された一つの網点部として観察されることで視認可能となる。そのため、第二のカムフラージュ部（４ｂ’）を第三の網点部（４ｂ’）よりも大きくした際には、第二の領域（４’）上に、第三の網点部を重畳することで、第三の網点部が第二のカムフラージュ部（４ｂ’）内に配置される。それにより、第二の潜像画像（８）を構成する網点の大小関係が変調することを起因とする画像の階調ずれが発生し、好ましくない。
【０１１１】
また、図１１（ａ）に示した第二の網点構成においても、前述した、基材（１）自体を光輝性材料により形成又は紙基材上に光輝性材料を形成し、その光輝性材料の上に、白インキにより隠蔽層を形成する構成とすることも可能である。その際には、第二の網点部（４ａ’）を隠蔽材料を施さない領域（Ｗ’）として形成し、更に、隠蔽材料を施さない領域（Ｗ’）を介して、基材（１）である光輝性材料を一部露出させることにより形成する必要がある。よって、本発明における、他の網点構成とは、隠蔽領域（Ｗ）を形成する場合の隠蔽材料を施さない領域（Ｗ’）が異なるので注意が必要である。
【０１１２】
図１１（ａ）に示した第二の網点構成においては、赤外線光源（Ｋ）下において、第二の網点部（４ａ’）と、共用して配置された第二のカムフラージュ部（４ｂ’）及び第三の網点部（４ｂ’）のみが観察可能となり、前述した他の実施形態において観察されるベタ領域（９）は観察されない。
【０１１３】
また、図１１（ｂ）に示すように、第二の領域（４）は、中心領域（Ｃ）に第三の領域（５）と隣接して配置しても良い。図１１（ｂ）においては、第二の領域（４）及び第三の領域（５）は、中心領域（Ｃ）に第三の領域（５）と同じ面積で配置しているが、その面積比率は、変更することが可能である。また、第二の領域（４）及び第三の領域（５）は縦方向に隣接して配置しているが、横方向に隣接して配置しても良い。さらには、図示しないが中心領域（Ｃ）を斜め方向に二分割し、第二の領域（４）及び第三の領域（５）を隣接して配置してもよい。
【０１１４】
（本発明における本網点構成の第三実施形態）
図１２は、本網点構成の第三実施形態（以下、「第三の網点構成」という。）を示す模式図である。図１２（ａ）に示すように、画像（２）は、基材（１）上に、第一の領域（３）、第二の領域（４）及び第三の領域（５）により形成されている。第一の領域（３）、第二の領域（４）及び第三の領域（５）は、それぞれ連続階調の可視画像（６）、第一の潜像画像（７）及び第二の潜像画像（８）を形成している。
【０１１５】
第一の領域（３）は、第一の方向（Ｙ）に他の第一の領域（３’）と隣接して配置されることで第一の領域群（Ｘ１）を形成している。第一の方向（Ｙ）とは、第一の領域（３）における中心及び第一の領域（３）と隣接する他の第一の領域（３ａ’）における中心を通る直線（Ｘ）と平行する直線と同一方向である。第一の領域群（Ｘ１）は、第一の方向（Ｙ）に直列して、Ｘ１、Ｘ２、Ｘ３・・・・・Ｘｎ（ｎは整数）と複数配置される。第二の領域（４）及び第三の領域（５）は、第一の領域群（Ｘ１）及び第一の領域群（Ｘ１）と並列して配置される他の第一の領域群（Ｘ２）に挟まれた領域に、第一の領域（３）と対応して交互に配置される。
【０１１６】
第一の領域（３）に対応して配置とは、一つの第一の領域（３）に対して、一つの第二の領域（４）及び一つの第三の領域（５）をそれぞれ前述した位置に配置することである。なお、図１２（ｂ）に示すように、第二の領域（４）及び第三の領域（５）は、第一の領域群（Ｘ１）及び第一の領域群（Ｘ１）と並列して配置される他の第一の領域群（Ｘ２）にはさまれた領域に、第一の方向と同じ方向にずらしたのち、第一の領域（３）に対応して交互に配置しても良い。また、第二の領域（４）及び第三の領域（５）は、必ずしも隣接して配置する必要はなく、図１２（ｃ）に示すように、第二の領域（４）及び第三の領域（５）間に空隙を設けてもよい。さらには、図１２（ｄ）に示すように、第一の領域（５）を第一の方向（Ｙ）と直交する方向に、他の第一の領域と隣接して配置しても良い。
【０１１７】
なお、前述した、第一の網点構成、第二の網点構成及び第三の網点構成を用いた印刷物は、可視光源下の拡散光領域で観察した際には可視画像が視認でき、印刷物を傾けて観察することで第一の潜像画像が視認でき、更に赤外線カメラ等の鑑定装置を用いて観察した際には第二の潜像画像が視認可能となった。しかしながら、目視検査による真偽判別のみ可能な印刷物を得るだけで良いのであれば、第二の領域（４）を有しない網点構成（以下、「第四の網点構成」という。）とすることで、一つの印刷物において、観察条件の異なる二つの画像を形成することが可能となる。つまり、第四の網点構成とすることで、可視光源下の拡散光領域で観察した際には可視画像が視認でき、印刷物を傾けて観察することで第一の潜像画像が視認可能となる。それについては、以下説明する。
【０１１８】
図１３（ｂ）に示すように、画像（２）は、基材（１）上に、第一の領域（３）及び第三の領域（５）により形成されている。第一の領域（３）及び第三の領域（５）は、各領域がマトリックス状に複数配置されることで、画像（２）を形成している。各領域をマトリックス状に配置することで、可視画像（６）及び第一の潜像画像（７）は、モアレを発生せずに画像（２）に埋め込むことが可能となる。
【０１１９】
図１３（ｃ１）は、可視画像（６）及び第一の領域（３）の一例を示す図である。第一の領域（３）は、可視光源下における拡散光領域において視認可能な可視画像（６）を形成する領域である。第一の領域（３）内には、第一の網点部（３ａ）が配置されている。第一の網点部（３ａ）は、赤外線吸収色素を含まないインキを用いて形成する。第一の網点部（３ａ）は、赤外線吸収特性を含まない材料によって形成することで、赤外線カメラ等の特殊な鑑定装置を用いて観察した場合においては、可視画像（６）を視認することができなくなる。
【０１２０】
図１３（ｃ２）は、第一の潜像画像（７）及び第三の領域（５）の一例を示す図である。第三の領域（５）は、可視光源下において基材（１）を傾けることで視認可能な第一の潜像画像（７）を形成する領域であり、第三の網点部（５ａ）及び第三のカムフラージュ部（５ｂ）により構成されている。第三の網点部（５ａ）は、定位置の照明光源に対して観察角度を拡散光領域から正反射光領域へ変化させることで、第三のカムフラージュ部（５ｂ）との色差ΔＥが所定の値変化する材料を用いて形成する。また、第三のカムフラージュ部（５ｂ）は、拡散光領域において第三の網点部（５ａ）と等色であり、第三の網点部（５ａ）の周囲に赤外吸収色素を含む材料を用いて形成する。    
【０１２１】
図１３（ａ）に示した印刷物（Ｓ）は、可視光源下の拡散光領域において、第一の網点部（３ａ）は肉眼で視認可能となる。つまり、可視画像（６）を視認することが可能となる。第三の網点部（５ａ）及び第三のカムフラージュ部（５ｂ）は、可視光源下の拡散光領域において等色で視認されることで、肉眼では区別することが不可能となり、第三の網点部（５ａ）で形成した第一の潜像画像（７）は、肉眼で視認することはできない。
【０１２２】
図１３（ａ）に示した印刷物（Ｓ）は、可視光源下の正反射光領域において、第三の網点部（５ａ）は肉眼で視認可能となる。つまり、第一の潜像画像（７）を視認することが可能となる。第三の網点部（５ａ）及び第三のカムフラージュ部（５ｂ）は、可視光源下の正反射光領域において色差ΔＥが変化して視認されることで、肉眼で区別することが可能となり、第三の網点部（５ａ）で形成した第一の潜像画像（７）を、肉眼で視認することができる。
【０１２３】
第四の網点構成とすることで、赤外線カメラ等の鑑定装置を用いて観察した際には第二の潜像画像が出現しないが、可視光源下の拡散光領域で観察した際には可視画像が視認でき、印刷物を傾けて観察することで第一の潜像画像が視認可能な印刷物は作製できた。なお、第四の網点構成においては、第一の領域（３）を形成する材料のみを異ならせることによっても、一つの印刷物において、観察条件の異なる二つの画像を形成することが可能となる。例えば、可視光源下の拡散光領域で観察した際には可視画像が視認でき、印刷物を傾けて観察することで第一の潜像画像が視認でき、更に赤外線カメラ等の鑑定装置を用いて観察した際には、可視画像が再度出現する。それについては、以下説明する。
【０１２４】
第四の網点構成において、第一の網点部（３ａ）を、赤外線吸収色素を含むインキを用いて形成する。第一の網点部（３ａ）は、赤外線吸収特性を含む材料によって形成することで、可視光源下における拡散光領域と、赤外線領域という二つの異なる観察条件において観察可能な可視画像（６）を形成する領域となる。なお、第三の領域（５）においては、前述と同様の材料により形成する。
【０１２５】
前述の網点構成及び材料により得られた印刷物（Ｓ）は、可視光源下の拡散光領域において、第一の網点部（３ａ）は肉眼で視認可能となる。つまり、可視画像（６）を視認することが可能となる。第三の網点部（５ａ）及び第三のカムフラージュ部（５ｂ）は、可視光源下の拡散光領域において等色で視認されることで、肉眼では区別することが不可能となり、第三の網点部（５ａ）で形成した第一の潜像画像（７）は、肉眼で視認することはできない。
【０１２６】
また、可視光源下の正反射光領域においては、第三の網点部（５ａ）は肉眼で視認可能となる。つまり、第一の潜像画像（７）を視認することが可能となる。第三の網点部（５ａ）及び第三のカムフラージュ部（５ｂ）は、可視光源下の正反射光領域において色差ΔＥが変化して視認されることで、肉眼で区別することが可能となり、第三の網点部（５ａ）で形成した第一の潜像画像（７）を、肉眼で視認することができる。
【０１２７】
さらに、赤外線光源下において、赤外線表示装置などの装置を介して観察した場合、赤外線吸収色素を含むインキを用いて形成した第一の網点部（３ａ）は観察可能となる。つまり、可視画像（６）が赤外線光源下において再度出現する。
【０１２８】
なお、第三のカムフラージュ部（５ｂ）を拡散光領域において第二の網点部（５ａ）と等色であり、第三の網点部（５ａ）の周囲に赤外吸収色素を含む材料を用いて形成したが、拡散光領域において第三の網点部（５ａ）と等色であれば、第三の網点部（５ａ）の周囲に赤外吸収色素を含まない材料を用いて形成することも可能である。
【０１２９】
第三の網点部（５ａ）を、定位置の照明光源に対して観察角度を拡散光領域から正反射光領域へ変化させることで、第三のカムフラージュ部（５ｂ）との色差ΔＥが所定の値変化する材料を用いて形成し、第三のカムフラージュ部（５ｂ）を、拡散光領域において第二の網点部（５ａ）と等色であり、第三の網点部（５ａ）の周囲に赤外吸収色素を含まない材料を用いて形成した場合においても、可視光源下の正反射光領域においては、第一の潜像画像（７）を視認することが可能である。
【０１３０】
第四の網点構成において、第三のカムフラージュ部（５ｂ）を、拡散光領域において第二の網点部（５ａ）と等色であり、第三の網点部（５ａ）の周囲に赤外吸収色素を含まない材料を用いて形成した場合、得られる印刷物（Ｓ）は、赤外線光源下において、赤外線表示装置などの装置を介して観察した場合、赤外線吸収色素を含むインキを用いて形成した第一の網点部（３ａ）及び第三の網点部（５ａ）は観察可能となる。つまり、可視画像（６）と、第一の潜像画像（７）が重畳した画像が赤外線光源下において出現する。
【０１３１】
本発明の可視画像（６）、第一の潜像画像（７）及び第二の潜像画像（８）は、文字、数字、記号、絵柄、風景等を適宜選択することが可能であるが、第一の潜像画像（７）においては、文字、数字、記号、図形等の場合にはポジ画像で形成することが好ましく、人物や風景等の場合には、ネガ画像で形成することが好ましい。また、第一の網点部（３ａ）、第二の網点部（４ａ）及び第三の網点部（５ａ）は、網点形状として円形ドットをそれぞれ用いているが、円形に限定されるものではなく、三角、四角、多角形等の形状、ランダムな形状、あるいは本出願人が先に出願した特許第３４７８４７４号公報で提案している自由度のある網点形状を用いてもよい。
【０１３２】
本網点構成を形成する材料としては、公知のグラビアインキ、スクリーンインキ、プロセスインキ、インクジェットプリンタ用インク、フォイル（金属箔）等を使用することができる。また、基材（１）にそれぞれの領域を形成する方法としては、オフセット印刷方式、グラビア印刷方式、スクリーン印刷方式、フレキソ印刷方式、インクジェットプリンタ、レーザプリンタ、金属蒸着、ホットスタンプ、コールドスタンプ等、特に限定されるものではない。
【０１３３】
本発明に用いる基材（１）は、特に限定されることがなく、上質紙、コート紙、アート紙等の紙葉類、フィルム等を用いることができる。定位置の照明光源に対して観察角度を拡散光領域から正反射光領域へ変化させることで、明度及び／又は色が変化する材料の特性を効果的に発揮させるために、基材（１）の平滑度が１,０００秒以上２,０００秒未満であることが好ましい。なお、平滑度の測定は、日本工業規格のＪＩＳ  Ｐ  ８１１９に規定されている試験方法で行い、デジベック平滑度試験機（株式会社東洋精機製作所製、ＤＢ−２型）を用いて測定した。
【０１３４】
以下、実施例を用いて本発明を更に具体的に説明するが、本発明を限定するものではない。
【０１３５】
（実施例１）
実施例１として、図１（ｂ）に示した第一の網点構成により印刷物（Ｓ）を作製した。印刷物（Ｓ）は、基材（１）としてインクジェットプリンタ用写真用紙（ＥＰＳＯＮ製  写真用紙＜光沢＞）を用いて、インクジェットプリンタ（ＥＰＳＯＮ製  ＰＸ−Ｇ９３０）により画像（２）を形成した。なお、第一の網点構成におけるそれぞれの領域の面積は、第一の領域（３）を１０×１０ピクセルで形成し、第二の領域（４）を２×２ピクセルで形成し、第三の領域（６）を４×４ピクセルで形成した。
【０１３６】
第一の領域（３）において、第一の網点部（３ａ）は円形ドットであり、プロセスインク（ＥＰＳＯＮ製、シアン、マゼンタ、イエロー）を用いて印刷した。第一の網点部（３ａ）と第一の網点部（３ａ）以外の領域との面積比率を変化させ、可視画像（６）を形成した。
【０１３７】
第二の領域（４）において、第二の網点部（４ａ）は円形ドットであり、金インク（日本ペイント株式会社製、金コロイドインク）を用いて印刷した。次に、可視光源下の拡散光領域において、第二の網点部（４ａ）及び第二のカムフラージュ部（４ｂ）を等色として視認可能とするために、第二のカムフラージュ部（４ｂ）の色設定を行い、第二のカムフラージュ部（４ｂ）を黒色に色設定した。
【０１３８】
第二のカムフラージュ部（４ｂ）は、黒色インク（ＥＰＳＯＮ製  マットブラック）及びプロセスインク（ＥＰＳＯＮ製、シアン、マゼンタ、イエロー）を用いて印刷した。第二の網点部（４ａ）及び第二のカムフラージュ部（４ｂ）の面積比率を変化し、第一の潜像画像（７）を形成した。
【０１３９】
第三の領域（５）においては、第三の網点部（５ａ）は円形ドットであり、黒色インク（ＥＰＳＯＮ製  マットブラック）を用いて印刷した。第三のカムフラージュ部（５ｂ）は、プロセスインク（ＥＰＳＯＮ製、シアン、マゼンタ、イエロー）を重ね合わせ黒色に印刷した。第三の網点部（５ａ）及び第三のカムフラージュ部（５ｂ）の面積比率を変化し、第二の潜像画像（８）を形成した。
【０１４０】
実施例１にて作製した印刷物（Ｓ）を、照明光源が定位置の可視光源下の拡散光領域において肉眼で観察したところ、可視画像（６）が視認でき、第一の潜像画像（７）及び第二の潜像画像（８）は視認できなかった。次に、実施例１にて作製した印刷物（Ｓ）を、照明光源が定位置の可視光源下の正反射光領域において、肉眼で観察した。可視画像（６）は視認でき、また、第二の網点部（４ａ）は金色に視認され、第二のカムフラージュ部（４ｂ）は黒く視認されることで、第一の潜像画像（７）は視認できたが、第二の潜像画像（８）は視認できなかった。
【０１４１】
可視光源下の正反射光領域において肉眼で視認した際、第一の潜像画像（７）を形成する第二の網点部（４ａ）の正反射光（Ｒ４）は、第一の領域（３）、第二のカムフラージュ部（４ｂ）、第三の網点部（５ａ）及び第三のカムフラージュ部（５ｂ）のそれぞれの正反射光（Ｒ６）よりも高くなり、その明度の差異によって、第二の網点部（４ａ）と第二のカムフラージュ部（４ｂ）の色差ΔＥが大きく変化し、第一の潜像画像（７）は、可視画像（６）よりも、明瞭に視認することが可能となった。
【０１４２】
さらに、実施例１にて作製した印刷物（Ｓ）を、赤外線光源下において、赤外線表示装置（ワテック株式会社製、ＣＣＤカメラＷＡＴ−７０４Ｒに富士写真フィルム株式会社製、シャープカットフィルターＩＲ−８０を装着したもの）を介して観察した。可視画像（６）は観察できず、また第二の領域（４）は、一様な大きさのベタ領域（９）としてうす暗く（グレー）表示された。また、ベタ領域（９）よりも、第三の網点部（５ａ）で構成された第二の潜像画像（８）の方が暗く（黒っぽく）表示され、第二の潜像画像（８）を明瞭に視認することができた。
【０１４３】
（実施例２）
実施例２として、図１１（ａ）に示した第二の網点構成により印刷物（Ｓ）を作製した。実施例２において、基材（１）はインクジェットプリンタ用写真用紙（ＥＰＳＯＮ製  写真用紙＜光沢＞）を用いて、インクジェットプリンタ（ＥＰＳＯＮ製  ＰＸ−Ｇ９３０）により画像（２）を形成した。なお、本網点構成におけるそれぞれの領域の面積は、第一の領域（３’）を１０×１０ピクセルで形成し、第二の領域（４’）を５×５ピクセルで形成した。
【０１４４】
第一の領域（３’）において、第一の網点部（３ａ’）は円形ドットであり、プロセスインク（ＥＰＳＯＮ製、シアン、マゼンタ、イエロー）を用いて印刷した。第一の網点部（３ａ’） と第一の網点部（３ａ’）以外の領域との面積率を変化し、可視画像（６）を形成した。
【０１４５】
第二の領域（４’）において、第二の網点部（４ａ’）は円形ドットであり、金インク（日本ペイント株式会社製、金コロイドインク）を用いて印刷した。次に、可視光源下の拡散光領域において、第二の網点部（４ａ’）、第二のカムフラージュ部（４ｂ’）及び第三のカムフラージュ部（４ｃ’）を等色として視認可能とするために、第二のカムフラージュ部（４ｂ’） 及び第三のカムフラージュ部（４ｃ’）の色設定を行い、第二のカムフラージュ部（４ｂ’） 及び第三のカムフラージュ部（４ｃ’）を黒色に色設定した。
【０１４６】
第二のカムフラージュ部（４ｂ’）は、黒色インク（ＥＰＳＯＮ製  マットブラック）及びプロセスインク（ＥＰＳＯＮ製、シアン、マゼンタ、イエロー）を用いて第二の網点部（４ａ’）及び第三のカムフラージュ部（４ｃ’）と毛抜き合わせで印刷した。第三のカムフラージュ部（４ｃ’）は、 プロセスインク（ＥＰＳＯＮ製、シアン、マゼンタ、イエロー）を用いて印刷した。第二の網点部（４ａ’）、第二のカムフラージュ部（４ｂ’）及び第三のカムフラージュ部（４ｃ’）の面積比率を変化し、第一の潜像画像（７）及び第二の潜像画像（８）を形成した。
【０１４７】
実施例２にて作製した印刷物（Ｓ）を、照明光源が定位置の可視光源下の拡散光領域において肉眼で観察したところ、可視画像（６）が視認でき、第一の潜像画像（７）及び第二の潜像画像（８）は視認できなかった。次に、照明光源が定位置の可視光源下の正反射光領域において、肉眼で観察した。可視画像（６）は視認でき、また、第二の網点部（４ａ’）は金色に視認され、第二のカムフラージュ部（４ｂ’）及び第三のカムフラージュ部（４ｃ’）は黒く視認されることで、第一の潜像画像（７）は視認できたが、第２の潜像画像（８）は視認できなかった。
【０１４８】
可視光源下の正反射光領域において肉眼で視認した際、第一の潜像画像（７）を形成する第二の網点部（４ａ’）の正反射光（Ｒ４）は、第一の領域（３）、第二のカムフラージュ部（４ｂ’）及び第三のカムフラージュ部（４ｃ’）のそれぞれの正反射光（Ｒ６）よりも高くなり、その明度の差異によって、第二の網点部（４ａ’）と第二のカムフラージュ部（４ｂ’） の色差ΔＥが大きく変化し、第一の潜像画像（７）は、可視画像（６）よりも、明瞭に視認することが可能となった。
【０１４９】
さらに、実施例２にて作製した印刷物（Ｓ）を、赤外線光源下において、赤外線表示装置（ワテック株式会社製、ＣＣＤカメラＷＡＴ−７０４Ｒに富士写真フィルム株式会社製、シャープカットフィルターＩＲ−８０を装着したもの）を介して観察した。可視画像（６）は観察できず、第二のカムフラージュ部（４ｂ’）及び第二の網点部（４ａ’）は、赤外線表示装置には暗く（黒っぽく）表示された。つまり、第二の網点部（４ａ’）及び第二のカムフラージュ部（４ｂ’）で構成された第二の潜像画像（８）のみ、視認することができた。
【符号の説明】
【０１５０】
１                              基材
２                              画像
３、３’                        第一の領域
３ａ、３ａ’、３ａ’’、３’ｎ  第一の網点部
４、４’                        第二の領域
４ａ、４ａ’                    第二の網点部
４ｂ’                          第二のカムフラージュ部、第三の網点部
４ｃ’                          第三のカムフラージュ部
５                              第三の領域
５ａ                            第三の網点部
５ｂ                            第三のカムフラージュ部
６                              可視画像
７                              第一の潜像画像
８                              第二の潜像画像
９                              ベタ領域
Ｓ                              印刷物
Ｗ                              隠蔽領域
Ｃ                              中心領域
Ｒ                              可視光源
Ｋ                              赤外線光源
Ｘ１、Ｘ２                      第一の領域群
Ｙ                              第一の方向
【図１】
2010247515.tif 000003
【図２】
2010247515.tif 000004
【図３】
2010247515.tif 000005
【図４】
2010247515.tif 000006
【図５】
2010247515.tif 000007
【図６】
2010247515.tif 000008
【図７】
2010247515.tif 000009
【図８】
2010247515.tif 000010
【図９】
2010247515.tif 000011
【図１０】
2010247515.tif 000012
【図１１】
2010247515.tif 000013
【図１２】
2010247515.tif 000014
【図１３】
2010247515.tif 000015
【手続補正書】
【提出日】平成21年12月22日(2009.12.22)
【手続補正１】
【補正対象書類名】特許請求の範囲
【補正対象項目名】請求項１
【補正方法】変更
【補正の内容】
【請求項１】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記第一の領域に囲まれるように中心領域が配置され、
前記中心領域は、前記第一の領域よりも小さい面積で前記第一の領域の外周に沿って等間隔に配置され、
前記第二の領域は、少なくとも一部が前記第一の領域内に配置され又は前記中心領域に配置され、
前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部は、定位置の照明光源に対して観察角度を拡散光領域から正反射光領域へ変化させることで前記第二のカムフラージュ部との色差ΔＥが所定の値変化する材料で形成され、
前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像が形成され、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることで視認可能な画像であり、前記第二の潜像画像は、赤外線光源下において観察可能な画像であることを特徴とする潜像画像を有する印刷物。
【手続補正２】
【補正対象書類名】特許請求の範囲
【補正対象項目名】請求項２
【補正方法】変更
【補正の内容】
【請求項２】
基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、
前記基材は、定位置の照明光源に対して観察角度を拡散光領域から正反射光領域へ変化させることで色が変化する材料を用いて形成され、
前記基材上に、赤外線吸収色素を含まず、かつ、前記基材を、定位置の照明光源に対して観察角度を拡散光領域から正反射光領域へ変化させることで色を変化させない隠蔽材料を用いて隠蔽領域が形成され、
前記隠蔽領域は、前記基材を隠蔽する隠蔽材料を施す領域及び前記基材を一部露出させる隠蔽材料を施さない領域から成り、
前記隠蔽材料を施す領域上に、前記第一の領域、前記第二の領域及び前記第三の領域が配置され、
前記第一の領域に囲まれるように中心領域が配置され、
前記中心領域は、前記第一の領域よりも小さい面積で前記第一の領域の外周に沿って等間隔に配置され、
前記第二の領域は、少なくとも一部が前記第一の領域内に配置され又は前記中心領域に配置され、
前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、
前記第一の領域は、赤外吸収色素を含まない材料で形成した網点が配置され、
前記第一の領域により前記可視画像が形成され、
前記第二の領域は、第二の網点部及び第二のカムフラージュ部から成り、
前記第二の網点部及び前記隠蔽材料を施さない領域は、同じ位置に配置され、
前記第二の網点部は、赤外線吸収色素を含む材料及び前記赤外線吸収色素を含まない材料いずれも配置されず、かつ、前記隠蔽材料を施さない領域と同じ大きさ及び同じ形状に配置され、
前記隠蔽材料を施さない領域を介して、前記基材を一部露出させることで形成された前記第二の網点部により前記第一の潜像画像が形成され、
前記第二のカムフラージュ部は、前記拡散光領域において前記第二の網点部と等色であり、前記第二の網点部の周囲に赤外吸収色素を含む材料を用いて形成され、
前記第三の領域は、第三の網点部及び第三のカムフラージュ部から成り、
前記第三の網点部は、赤外吸収色素を含む材料を用いて形成され、
前記第三の網点部により前記第二の潜像画像が形成され、
前記第三のカムフラージュ部は、可視光源下において前記第三の網点部と等色であり、前記第三の網点部の周囲に赤外吸収色素を含まない材料を用いて形成され、
前記可視画像は、可視光源下において視認可能な画像であり、前記第一の潜像画像は、定位置の照明光源に対して観察角度を拡散光領域から正反射光領域へ変化させることで前記第二の網点部及び前記第二のカムフラージュ部との色差ΔＥが所定の値変化し視認可能となる画像であり、前記第二の潜像画像は、赤外線光源下において観察可能な画像であることを特徴とする潜像画像を有する印刷物。
【手続補正３】
【補正対象書類名】明細書
【補正対象項目名】００１３
【補正方法】変更
【補正の内容】
【００１３】
また、請求項２記載の発明は、基材上における少なくとも一部に印刷領域が形成され、前記印刷領域は第一の領域、第二の領域及び第三の領域から成り、前記第一の領域、前記第二の領域及び前記第三の領域を用いて、連続階調の可視画像、第一の潜像画像及び第二の潜像画像が埋め込まれた潜像画像を有する印刷物であって、前記基材は、定位置の照明光源に対して観察角度を拡散光領域から正反射光領域へ変化させることで色が変化する材料を用いて形成され、前記基材上に、赤外線吸収色素を含まず、かつ、前記基材を、定位置の照明光源に対して観察角度を拡散光領域から正反射光領域へ変化させることで色を変化させない隠蔽材料を用いて隠蔽領域が形成され、前記隠蔽領域は、前記基材を隠蔽する隠蔽材料を施す領域及び前記基材を一部露出させる隠蔽材料を施さない領域から成り、前記隠蔽材料を施す領域上に、前記第一の領域、前記第二の領域及び前記第三の領域が配置され、前記第一の領域に囲まれるように中心領域が配置され、前記中心領域は、前記第一の領域よりも小さい面積で前記第一の領域の外周に沿って等間隔に配置され、前記第二の領域は、少なくとも一部が前記第一の領域内に配置され又は前記中心領域に配置され、前記第三の領域は、前記第二の領域の少なくとも一部が前記第一の領域内に配置された場合に、前記中心領域又は前記第一の領域内に配置され、前記第二の領域が前記中心領域に配置された場合に、少なくとも一部が前記第一の領域内に配置され、前記第一の領域は、赤外吸収色素を含まない材料で形成した網点が配置され、前記第一の領域により前記可視画像が形成され、前記第二の領域は、第二の網点部及び第二のカムフラージュ部から成り、前記第二の網点部及び前記隠蔽材料を施さない領域は、同じ位置に配置され、前記第二の網点部は、赤外線吸収色素を含む材料及び前記赤外線吸収色素を含まない材料いずれも配置されず、かつ、前記隠蔽材料を施さない領域と同じ大きさ及び同じ形状に配置され、前記隠蔽材料を施さない領域を介して、前記基材を一部露出させることで形成された前記第二の網点部により前記第一の潜像画像が形成され、前記第二のカムフラージュ部は、前記拡散光領域において前記第二の網点部と等色であり、前記第二の網点部の周囲に赤外吸収色素を含む材料を用いて形成され、前記第三の領域は、第三の網点部及び第三のカムフラージュ部から成り、前記第三の網点部は、赤外吸収色素を含む材料を用いて形成され、前記第三の網点部により前記第二の潜像画像が形成され、前記第三のカムフラージュ部は、可視光源下において前記第三の網点部と等色であり、前記第三の網点部の周囲に赤外吸収色素を含まない材料を用いて形成され、前記可視画像は、可視光源下において視認可能な画像であり、前記第一の潜像画像は、定位置の照明光源に対して観察角度を拡散光領域から正反射光領域へ変化させることで前記第二の網点部及び前記第二のカムフラージュ部との色差ΔＥが所定の値変化し視認可能となる画像であり、前記第二の潜像画像は、赤外線光源下において観察可能な画像であることを特徴とする。
【手続補正４】
【補正対象書類名】明細書
【補正対象項目名】００４４
【補正方法】変更
【補正の内容】
【００４４】
また、第二の領域（４）の第二の網点部（４ａ）については、前述のとおり、第二のカムフラージュ部（４ｂ）との色差ΔＥが所定の値変化する材料を用いて印刷インキ、フォイル等を作製し、その印刷インキ、フォイル等を用いて、基材（１）上に、第二の網点部（４ａ）を形成すること等で説明したが、別の態様として、基材（１）自体に定位置の照明光源に対して観察角度を拡散光領域から正反射光領域へ変化させることで色が変化する材料を用いても良い。例えば、光輝性材料を用い、その基材（１）の上に、第二の網点部（４ａ）に該当する箇所のみを除いた全領域に、赤外線吸収色素を含まず、かつ、基材（１）を、定位置の照明光源に対して観察角度を拡散光領域から正反射光領域へ変化させることで、色を変化させない隠蔽材料（以下、「隠蔽材料」とする）を印刷する。それにより得られる印刷物は、定位置の照明光源に対して観察角度を拡散光領域から正反射領域へと変化させることにより、後述する隠蔽材料を施さない領域（Ｗ’）を介して、基材（１）である光輝性材料を一部露出させることにより形成された第二の網点部（４ａ）と、第二のカムフラージュ部（４ｂ）との色差ΔＥが所定の値変化することで、第一の潜像画像（７）が視認可能となる。つまり、基材（１）自体に定位置の照明光源に対して観察角度を拡散光領域から正反射光領域へ変化させることで色が変化する材料とは、印刷物となった際に、第二の網点部（４ａ）と、第二のカムフラージュ部（４ｂ）との色差ΔＥが所定の値変化する材料のことである。
【手続補正５】
【補正対象書類名】明細書
【補正対象項目名】００４７
【補正方法】変更
【補正の内容】
【００４７】
隠蔽材料は、白インキ、マットインキ（マットタイプのＯＰニス）等を用いることが可能だが、赤外線吸収色素を含まず、かつ、基材（１）を、定位置の照明光源に対して観察角度を拡散光領域から正反射光領域へ変化させることで、色を変化させない材料であればこれに限定されない。なお、白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。